(57)【特許請求の範囲】
【請求項１】
ユーザ機器（ＵＥ）によるワイヤレス通信のための方法であって、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とし、前記第１のトリガフレームは、受信信号強度インジケータ（ＲＳＳＩ）しきい値を示す、
前記第１のノードから前記第１の応答フレームを受信することと、前記第１の応答フレームは、前記第１のノードの近くに位置する１つまたは複数の他のノードの識別子を備え、ここにおいて、前記第１のノードにおけるＲＳＳＩは前記ＲＳＳＩしきい値よりも大きい、
第２のトリガフレームを送信することと、ここにおいて、前記第２のトリガフレームは前記１つまたは複数の他のノードから第２の応答フレームをトリガすることを目的とし、前記第２のトリガフレームは、前記１つまたは複数の他のノードの各々の前記識別子とともに送信される、
前記１つまたは複数の他のノードから前記第２の応答フレームを受信することと、
を備える方法。
【請求項２】
前記第１のエリアは、前記ＵＥに対して、ある径方向距離しきい値内に位置し、ここにおいて、第２のエリアは前記径方向距離しきい値を越えて位置する、請求項１に記載の方法。
【請求項３】
前記第２のトリガフレームは、前記ＵＥにおけるトラフィック負荷状態と関連付けられるフィードバック情報を含む、請求項２に記載の方法。
【請求項４】
前記第１のノードにおける前記ＲＳＳＩが前記第１のＲＳＳＩしきい値よりも大きいとき、前記第１のエリア内の前記第１のノードからリストを受信することと、前記リストは、前記１つまたは複数の他のノードの識別子を備える、
前記受信されたリストを使用して、第２のノードによる前記第２の応答フレームの送信のためにタイムスロットをスケジュールすることと、ここにおいて、前記第２のノードは前記１つまたは複数の他のノードのうちの１つである、
をさらに備える、請求項１に記載の方法。
【請求項５】
ユーザ機器（ＵＥ）によるワイヤレス通信のための方法であって、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とし、前記第１のエリアは第１の円形セクタであり、前記第２のエリアは、前記第１の円形セクタとは異なる第２の円形セクタであり、前記第１および第２のトリガフレームは、前記ＵＥのロケーションに対応する情報を含み、前記第１のトリガフレームは、前記ＵＥの前記ロケーションに対する前記第１のノードのロケーションに基づいて、前記第１の応答フレームを受信するための第１のタイムスロットを示し、前記第２のトリガフレームは、前記ＵＥの前記ロケーションに対する前記第２のノードのロケーションに基づいて、前記第２の応答フレームを受信するための第２のタイムスロットを示す、
を備える方法。
【請求項６】
ユーザ機器（ＵＥ）によるワイヤレス通信の方法であって、
あるエリアと関連付けられる基準を備えるトリガフレームを受信することと、
前記トリガフレームが前記ＵＥに宛てられているかどうかを、前記トリガフレーム内の前記基準に基づいて決定することと、
前記トリガフレームが前記ＵＥに宛てられているときに応答フレームを送信することと、
前記ＵＥのサービング優先度ランクが、前記ＵＥによって受信された応答フレームを前に送った近隣ノードのサービング優先度ランクよりも低いときに、前記応答フレームを送信することを控えることと、
を備える方法。
【請求項７】
前記トリガフレームは、衝突緩和プロシージャを有効化するかどうかを示し、ここにおいて、前記応答フレームの前記送信は、衝突緩和プロシージャに従う、請求項６に記載の方法。
【請求項８】
ワイヤレス通信のためのユーザ機器（ＵＥ）であって、
メモリと、
前記メモリに結合された少なくとも１つのプロセッサとを備え、前記少なくとも１つのプロセッサは、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とし、前記第１のトリガフレームは、受信信号強度インジケータ（ＲＳＳＩ）しきい値を示す、
前記第１のノードから前記第１の応答フレームを受信することと、前記第１の応答フレームは、前記第１のノードの近くに位置する１つまたは複数の他のノードの識別子を備え、ここにおいて、前記第１のノードにおけるＲＳＳＩは前記ＲＳＳＩしきい値よりも大きい、
第２のトリガフレームを送信することと、ここにおいて、前記第２のトリガフレームは前記１つまたは複数の他のノードから第２の応答フレームをトリガすることを目的とし、前記第２のトリガフレームは、前記１つまたは複数の他のノードの各々の前記識別子とともに送信される、
前記１つまたは複数の他のノードから前記第２の応答フレームを受信することと、
を行うように構成されるＵＥ。
【請求項９】
前記第１のエリアは、前記ＵＥに対して、ある径方向距離しきい値内に位置し、ここにおいて、第２のエリアは前記径方向距離しきい値を越えて位置する、請求項８に記載のＵＥ。
【請求項１０】
前記第２のトリガフレームは、前記ＵＥにおけるトラフィック負荷状態と関連付けられるフィードバック情報を含む、請求項９に記載のＵＥ。
【請求項１１】
前記少なくとも１つのプロセッサは、
前記第１のノードにおける前記ＲＳＳＩが前記第１のＲＳＳＩしきい値よりも大きいとき、前記第１のエリア内の前記第１のノードからリストを受信することと、前記リストは、１つまたは複数の他のノードの識別子を備える、
前記受信されたリストを使用して、第２のノードによる前記第２の応答フレームの送信のためにタイムスロットをスケジュールすることと、ここにおいて、前記第２のノードは前記１つまたは複数の他のノードのうちの１つである、
を行うようにさらに構成される、請求項８に記載のＵＥ。
【請求項１２】
ワイヤレス通信のためのユーザ機器（ＵＥ）であって、
メモリと、
前記メモリに結合された少なくとも１つのプロセッサとを備え、前記少なくとも１つのプロセッサは、
あるエリアと関連付けられる基準を備えるトリガフレームを受信することと、
前記トリガフレームが前記ＵＥに宛てられているかどうかを、前記トリガフレームに含められた前記基準に基づいて決定することと、
前記トリガフレームが前記ＵＥに宛てられているときに応答フレームを送信することと、
前記ＵＥのサービング優先度ランクが、前記ＵＥによって受信された応答フレームを前に送った近隣ノードのサービング優先度ランクよりも低いときに、前記応答フレームを送信することを控えることと、
を行うように構成されるＵＥ。
【請求項１３】
ワイヤレス通信のためのユーザ機器（ＵＥ）であって、
メモリと、
前記メモリに結合された少なくとも１つのプロセッサとを備え、前記少なくとも１つのプロセッサは、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とし、前記第１のエリアは第１の円形セクタであり、前記第２のエリアは、前記第１の円形セクタとは異なる第２の円形セクタであり、前記第１および第２のトリガフレームは、前記ＵＥのロケーションに対応する情報を含み、前記第１のトリガフレームは、前記ＵＥの前記ロケーションに対する前記第１のノードのロケーションに基づいて、前記第１の応答フレームを受信するための第１のタイムスロットを示し、前記第２のトリガフレームは、前記ＵＥの前記ロケーションに対する前記第２のノードのロケーションに基づいて、前記第２の応答フレームを受信するための第２のタイムスロットを示す、
を行うように構成されるＵＥ。
【発明の詳細な説明】
【技術分野】
【０００１】
関連出願の相互参照
[0001]本出願は、それらの全体が参照により本明細書に明確に組み込まれる、２０１４年２月２７日に出願された「ＥＮＨＡＮＣＥＤ  ＴＲＩＧＧＥＲＩＮＧ  ＦＲＡＭＥ  ＢＡＳＥＤ  ＤＩＳＣＯＶＥＲＹ  ＦＯＲ  Ａ  ＮＥＩＧＨＢＯＲ  ＡＷＡＲＥＮＥＳＳ  ＮＥＴＷＯＲＫ」と題する米国仮出願第６１／９４５，７９８号、および２０１５年２月２０日に出願された「ＥＮＨＡＮＣＥＤ  ＴＲＩＧＧＥＲ  ＦＲＡＭＥ  ＢＡＳＥＤ  ＤＩＳＣＯＶＥＲＹ  ＦＯＲ  Ａ  ＮＥＩＧＨＢＯＲ  ＡＷＡＲＥＮＥＳＳ  ＮＥＴＷＯＲＫ」と題する米国特許出願第１４／６２８，１５８号の利益を主張する。
【０００２】
[0002]本開示は、一般に通信システムに関し、より詳細には、ネイバーアウェアネスネットワーク（neighbor awareness network）のための拡張されたトリガフレームに基づく発見（discovery）に関する。
【背景技術】
【０００３】
[0003]多くの電気通信システムでは、いくつかの対話している空間的に離れたデバイスの間でメッセージを交換するために、通信ネットワークが使用される。ネットワークは地理的範囲に従って分類され得、地理的範囲は、たとえば大都市圏エリア、ローカルエリア、または個人エリアであり得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と呼ばれる。ネットワークはまた、様々なネットワークノードとデバイスとを相互接続するために使用される交換／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、同期光ネットワーキング（ＳＯＮＥＴ：Synchronous Optical Networking）、イーサネット（登録商標）など）によって異なる。
【０００４】
[0004]ワイヤレスネットワークは、ネットワーク要素がモバイルであり、したがって動的な接続性を必要とするとき、またはネットワークアーキテクチャが固定されたトポロジでなくアドホックなトポロジで形成される場合に、好ましいことが多い。ワイヤレスネットワークは、無線、マイクロ波、赤外線、光などの周波数帯域内の電磁波を使用する非誘導伝搬モードでは、無形物理媒体を利用する。ワイヤレスネットワークは、有利には、固定されたワイヤードネットワークと比較すると、ユーザモビリティと迅速なフィールド展開とを容易にする。
【発明の概要】
【０００５】
[0005]本発明のシステム、方法、コンピュータプログラム製品、およびデバイスは、それぞれいくつかの態様を有するが、それらの態様のどれ１つとして、単独で本発明の望ましい属性を担うことはない。ここで、以下の特許請求の範囲によって表される本発明の範囲を限定することなく、いくつかの特徴について簡単に説明する。この説明を考察すれば、特に「発明を実施するための形態」と題するセクションを読めば、本発明の特徴が、ワイヤレスネットワークにおけるデバイスに利点をどのように提供するかが理解されよう。
【０００６】
[0006]本開示の一態様は、処理システムを含むワイヤレス通信のための装置（たとえば、ユーザ機器（ＵＥ））を提供する。ＵＥの処理システムは、第１のエリアと関連付けられる第１の基準を含んだ第１のトリガフレームを送信するように構成される。第１のトリガフレームは、第１のエリア内の第１のノードから第１の応答フレームをトリガすることを目的とする。処理システムはまた、第２のエリアと関連付けられる第２の基準を含んだ第２のトリガフレームを送信するように構成される。第２のトリガフレームは、第２のエリア内の第２のノードから第２の応答フレームをトリガすることを目的とする。
【０００７】
[0007]本開示の別の態様は、ワイヤレス通信のための装置を提供する。この装置は、第１のエリアと関連付けられる第１の基準を備える第１のトリガフレームを送信するための手段、ここにおいて、第１のトリガフレームは第１のエリア内の第１のノードから第１の応答フレームをトリガすることを目的とする、を含む。この装置は、第２のエリアと関連付けられる第２の基準を備える第２のトリガフレームを送信するための手段、ここにおいて、第２のトリガフレームは第２のエリア内の第２のノードから第２の応答フレームをトリガすることを目的とする、を含む。一態様では、第１のエリアは、ＵＥに対して、ある径方向距離しきい値（radial distance threshold）内に位置し、第２のエリアはその径方向距離しきい値を越えて位置する。別の態様では、第１のトリガフレームは受信信号強度インジケータ（ＲＳＳＩ）しきい値を示し、第２のトリガフレームは、ＲＳＳＩしきい値を示さないか、またはＲＳＳＩしきい値に対してヌル（null）値を示す。別の態様では、第１のトリガフレームは第１のＲＳＳＩレンジを示し、ここにおいて、第１のトリガフレームは、第１のＲＳＳＩレンジに基づいて、第１のエリア内の第１のノードから第１の応答フレームをトリガすることを目的とし、第２のトリガフレームは第２のＲＳＳＩレンジを示し、ここにおいて、第２のトリガフレームは、第２のＲＳＳＩレンジに基づいて、第２のエリア内の第２のノードから第２の応答フレームをトリガすることを目的とする。別の態様では、第２のトリガフレームは、装置におけるトラフィック負荷状態と関連付けられるフィードバック情報を含む。別の態様では、第１のトリガフレームはＲＳＳＩしきい値を示し、装置は、第１のノードから第１の応答フレームを受信するための手段と、ここにおいて、第１の応答フレームは、第１のノードの近くに位置する１つまたは複数の他のノードの識別子を備え、ここにおいて、第１のノードにおけるＲＳＳＩはＲＳＳＩしきい値よりも大きく、ここにおいて、第２のトリガフレームは、１つまたは複数の他のノードの各々の識別子とともに送信される、１つまたは複数の他のノードから応答フレームを受信するための手段とをさらに含む。別の態様では、装置は、第１のノードにおける第１のＲＳＳＩが第１の基準よりも大きいときに第１のノードから第１の応答フレームを受信するための手段と、第１の基準は第１のＲＳＳＩしきい値であり、ここにおいて、第２のトリガフレームは、第１のノードと関連付けられる識別子とともに、また第２のＲＳＳＩしきい値とともに送信される、第２のノードと第１のノードとの間の第２のＲＳＳＩが第２のトリガフレームで送信された第２のＲＳＳＩしきい値よりも大きいかまたはそれに等しいときに第２のノードから第２の応答フレームを受信するための手段とを含む。別の態様では、この装置は、第１のノードにおけるＲＳＳＩがＲＳＳＩしきい値よりも大きいときに第１のエリア内の第１のノードからリストを受信するための手段と、リストは、第１のノードによって前に発見された１つまたは複数の他のノードの識別子を備え、ここにおいて、第２のノードは１つまたは複数の他のノードのうちの１つである、受信されたリストを使用して第２のノード���よる第２の応答フレームの送信のためにタイムスロットをスケジュールするための手段とを含む。別の態様では、第１のエリアは第１の円形セクタであり、第２のエリアは、第１の円形セクタとは異なる第２の円形セクタである。別の態様では、第１および第２のトリガフレームは、装置のロケーションに対応する情報を含み、第１のトリガフレームは、装置のロケーションに対する第１のノードのロケーションに基づいて、第１の応答フレームを受信するための第１のタイムスロットを示し、第２のトリガフレームは、装置のロケーションに対する第２のノードのロケーションに基づいて、第２の応答フレームを受信するための第２のタイムスロットを示す。別の態様では、第１のエリアは第１のビーム形成セクタであり、第２のエリアは、第１のビーム形成セクタとは異なる第２のビーム形成セクタである。別の態様では、第１のトリガフレームは、第１の時間に、第１のビーム形成セクタ内に位置する第１のノードに送信され、第２のトリガフレームは、第１の時間とは異なる第２の時間に、第２のビーム形成セクタ内に位置する第２のノードに送信される。
【０００８】
[0008]本開示の別の態様は、第１のエリアと関連付けられる第１の基準を備える第１のトリガフレームを送信することと、ここにおいて、第１のトリガフレームは第１のエリア内の第１のノードから第１の応答フレームをトリガすることを目的とする、第２のエリアと関連付けられる第２の基準を備える第２のトリガフレームを送信することと、ここにおいて、第２のトリガフレームは第２のエリア内の第２のノードから第２の応答フレームをトリガすることを目的とする、のためのコードを備える、ワイヤレス通信のためのコンピュータ実行可能コードを記憶するＵＥのコンピュータ可読媒体を提供する。一態様では、第１のエリアは、ＵＥに対して、ある径方向距離しきい値内に位置し、第２のエリアはその径方向距離しきい値を越えて位置する。別の態様では、第１のトリガフレームはＲＳＳＩしきい値を示し、第２のトリガフレームは、ＲＳＳＩしきい値を示さないか、またはＲＳＳＩしきい値に対してヌル値を示す。別の態様では、第１のトリガフレームは第１のＲＳＳＩレンジを示し、ここにおいて、第１のトリガフレームは、第１のＲＳＳＩレンジに基づいて、第１のエリア内の第１のノードから第１の応答フレームをトリガすることを目的とし、第２のトリガフレームは第２のＲＳＳＩレンジを示し、ここにおいて、第２のトリガフレームは、その第２のＲＳＳＩレンジに基づいて、第２のエリア内の第２のノードから第２の応答フレームをトリガすることを目的とする。別の態様では、第２のトリガフレームは、装置におけるトラフィック負荷状態と関連付けられるフィードバック情報を含む。別の態様では、第１のトリガフレームはＲＳＳＩしきい値を示し、コンピュータ可読記憶媒体は、第１のノードから第１の応答フレームを受信することと、第１の応答フレームは、第１のノードの近くに位置する１つまたは複数の他のノードの識別子を備え、ここにおいて、第１のノードにおけるＲＳＳＩはＲＳＳＩしきい値よりも大きく、ここにおいて、第２のトリガフレームは、１つまたは複数の他のノードの各々の識別子とともに送信される、１つまたは複数の他のノードから応答フレームを受信することとのためのコードをさらに備える。別の態様では、コンピュータ可読記憶媒体は、第１のノードにおける第１のＲＳＳＩが第１の基準よりも大きいときに第１のノードから第１の応答フレームを受信することと、第１の基準は第１のＲＳＳＩしきい値であり、ここにおいて、第２のトリガフレームは、第１のノードと関連付けられる識別子とともに、また第２のＲＳＳＩしきい値とともに送信される、第２のノードと第１のノードとの間の第２のＲＳＳＩが第２のトリガフレームで送信された第２のＲＳＳＩしきい値よりも大きいかまたはそれに等しいときに第２のノードから第２の応答フレームを受信することとのためのコードをさらに備える。別の態様では、このコンピュータ可読記憶媒体は、第１のノードにおけるＲＳＳＩがＲＳＳＩしきい値よりも大きいときに第１のエリア内の第１のノードからリストを受信することと、リストは、第１のノードによって前に発見された１つまたは複数の他のノードの識別子を備え、ここにおいて、第２のノードは１つまたは複数の他ノードのうちの１つである、受信されたリストを使用して第２のノードによる第２の応答フレームの送信のためにタイムスロットをスケジュールすることとのためのコードをさらに備える。別の態様では、第１のエリアは第１の円形セクタであり、第２のエリアは、第１の円形セクタとは異なる第２の円形セクタである。別の態様では、第１および第２のトリガフレームは、ＵＥのロケーションに対応する情報を含み、第１のトリガフレームは、ＵＥのロケーションに対する第１のノードのロケーションに基づいて、第１の応答フレームを受信するための第１のタイムスロットを示し、第２のトリガフレームは、ＵＥのロケーションに対する第２のノードのロケーションに基づいて、第２の応答フレームを受信するための第２のタイムスロットを示す。別の態様では、第１のエリアは第１のビーム形成セクタであり、第２のエリアは、第１のビーム形成セクタとは異なる第２のビーム形成セクタである。別の態様では、第１のトリガフレームは、第１の時間に、第１のビーム形成セクタ内に位置する第１のノードに送信され、第２のトリガフレームは、第１の時間とは異なる第２の時間に、第２のビーム形成セクタ内に位置する第２のノードに送信される。
【０００９】
[0009]本開示の別の態様は、処理システムを含むワイヤレス通信のための装置（たとえば、ＵＥ）を提供する。ＵＥの処理システムは、あるエリアと関連付けられる基準を含んだトリガフレームを受信するように構成される。処理システムは、トリガフレームがそのＵＥに宛てられているかどうかを、トリガフレーム内の基準に基づいて決定するように構成される。処理システムは、トリガフレームがＵＥに宛てられているときに応答フレームを送信するように構成される。
【００１０】
[0010]本開示の別の態様は、ワイヤレス通信のための装置を提供する。その装置は、あるエリアと関連付けられる基準を備えるトリガフレームを受信するための手段と、トリガフレーム内の基準に基づいて、トリガフレームがその装置に宛てられているかどうかを決定するための手段と、トリガフレームがその装置に宛てられているときに応答フレームを送信するための手段とを含む。一態様では、基準はＲＳＳＩしきい値である。別の態様では、トリガフレームは、衝突緩和プロシージャを有効化するかどうかを示し、応答フレームの送信は、その衝突緩和プロシージャに従う。別の態様では、衝突緩和プロシージャに従う送信は、応答フレームを送信するための発見ウィンドウ内のランダムな開始時間（たとえば、ランダムなキャリア検知多重アクセス（ＣＳＭＡ）時間）の選択または応答フレームを送信するための送信要求／送信可（ＲＴＳ／ＣＴＳ）プロシージャの実装の少なくとも一方を備える。別の態様では、装置は、トラフィック負荷状態と関連付けられるフィードバック情報を受信するための手段と、そのフィードバック情報を使用して応答フレームの送信と関連付けられるパラメータを調節するための手段とを含む。別の態様では、応答フレームは、トリガフレームの送信機のロケーションに対する装置のロケーションに基づいた時間に送信される。別の態様では、応答フレームは、ビーム形成セクタ内の装置のロケーションに基づいた時間に送信される。別の態様では、装置は、その装置のサービング（serving）優先度ランクが、その装置によって受信された応答フレームを前に送った近隣ノードのサービング優先度ランクよりも低いときに、応答フレームを送信することを控えるための手段を含む。
【００１１】
[0011]本開示の別の態様は、あるエリアと関連付けられる基準を備えるトリガフレームを受信することと、トリガフレーム内の基準に基づいて、トリガフレームがそのＵＥに宛てられているかどうかを決定することと、トリガフレームがそのＵＥに宛てられているときに応答フレームを送信することとのためのコードを備える、ワイヤレス通信のためのコンピュータ実行可能コードを記憶するＵＥのコンピュータ可読媒体を提供する。一態様では、基準はＲＳＳＩしきい値である。別の態様では、トリガフレームは、衝突緩和プロシージャを有効化するかどうかを示し、応答フレームの送信は、その衝突緩和プロシージャに従う。別の態様では、衝突緩和プロシージャに従う送信は、応答フレームを送信するための発見ウィンドウ内のランダムなＣＳＭＡ開始時間の選択または応答フレームを送信するための送信要求／送信可（ＲＴＳ／ＣＴＳ）プロシージャの実装の少なくとも一方を備える。別の態様では、コンピュータ可読媒体は、トラフィック負荷状態と関連付けられるフィードバック情報を受信することと、そのフィードバック情報を使用して応答フレームの送信と関連付けられるパラメータを調節することとのためのコードをさらに備える。別の態様では、応答フレームは、トリガフレームの送信機のロケーションに対するＵＥのロケーションに基づいた時間に送信される。別の態様では、応答フレームは、ビーム形成セクタ内のＵＥのロケーションに基づいた時間に送信される。別の態様では、コンピュータ可読媒体は、ＵＥのサービング優先度ランクが、そのＵＥによって受信された応答フレームを前に送った近隣ノードのサービング優先度ランクよりも低いときに、応答フレームを送信することを控えるためのコードをさらに備える。
【図面の簡単な説明】
【００１２】
【図１】[0012]本開示の態様が採用され得る例示的なワイヤレス通信システムを示す図。
【図２】[0013]発見ウィンドウの例を示す図。
【図３】[0014]ＵＥとＵＥのレンジ内のノードとの間の通信の様々な例を示す図。
【図４】ＵＥとＵＥのレンジ内のノードとの間の通信の様々な例を示す図。
【図５】ＵＥとＵＥのレンジ内のノードとの間の通信の様々な例を示す図。
【図６】ＵＥとＵＥのレンジ内のノードとの間の通信の様々な例を示す図。
【図７】ＵＥとＵＥのレンジ内のノードとの間の通信の様々な例を示す図。
【図８】ＵＥとＵＥのレンジ内のノードとの間の通信の様々な例を示す図。
【図９】[0015]ワイヤレス通信の第１の方法のフローチャート。
【図１０】[0016]ワイヤレス通信の第２の方法のフローチャート。
【図１１】[0017]図１のワイヤレス通信システム内で発見を実施し得るワイヤレスデバイスの例示的な機能ブロック図。
【図１２】[0018]発見を実施するための例示的なワイヤレス通信デバイスの機能ブロック図。
【発明を実施するための形態】
【００１３】
[0019]添付の図面を参照しながら、新規のシステム、装置、コンピュータプログラム製品、および方法の様々な態様が以下でより十分に説明される。しかし、本開示は、様々な異なる形態で実施され得、本開示全体で提示される任意の特定の構造または機能に限定されると解釈されてはならない。そうではなく、これらの態様は、本開示が十分および完全になり、本開示の範囲を当業者に十分に伝えるようにするために提供される。本明細書の教示に基づいて、本開示の範囲は、本発明の他の態様とは独立に実装されるのか、本発明の他の態様と組み合わせて実装されるのかにかかわらず、本明細書で開示される新規のシステム、装置、コンピュータプログラム製品、および方法のあらゆる態様を包含することを意図することを、当業者は理解されたい。たとえば、本明細書に記載した任意の数の態様を使用して、装置が実装されてよく、または方法が実践されてよい。加えて、本発明の範囲は、本明細書に記載した本発明の様々な態様に加えて、またはそれ以外の、他の構造、機能、または構造および機能を使用して実践されるそのような装置または方法を包含するものとする。本明細書で開示するいずれの態様も、請求項の１つまたは複数の要素によって具現化され得ることを理解されたい。
【００１４】
[0020]特定の態様について本明細書で説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、その一部が例として図面および好ましい態様の以下の説明において示される、異なるワイヤレス技術と、システム構成と、ネットワークと、伝送プロトコルとに幅広く適用可能であることが意図されている。詳細な説明および図面は、限定的ではなく、本開示の例示にすぎず、本開示の範囲は、添付の特許請求の範囲とその均等物とによって定義される。
【００１５】
[0021]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを採用して、近くのデバイスを相互接続するために使用され得る。本明細書で説明される様々な態様は、ワイヤレスプロトコルなどの任意の通信規格に適用され得る。
【００１６】
[0022]いくつかの態様では、ワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１プロトコルに従って送信され得る。８０２．１１プロトコルの実装形態は、センサー、検針、およびスマートグリッドネットワークに使用され得る。有利なことに、８０２．１１プロトコルを実装するいくつかのデバイスの態様は、他のワイヤレスプロトコルを実装するデバイスよりも消費する電力が少ない場合があり、および／または、比較的長い距離、たとえば約１キロメートル以上にわたってワイヤレス信号を送信するために使用され得る。
【００１７】
[0023]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局もしくは「ＳＴＡ」または「ＵＥ」とも呼ばれる）クライアントが存在し得る。概して、ＡＰはＷＬＡＮ用のハブまたは基地局として機能することができ、ＵＥはＷＬＡＮのユーザとして機能する。たとえば、ＵＥは、ラップトップコンピュータ、携帯情報端末（ＰＤＡ）、モバイル電話などであり得る。一例では、ＵＥは、インターネットまたは他のワイドエリアネットワークへの一般的接続性を得るために、ＷｉＦｉ（登録商標）（たとえば、ＩＥＥＥ８０２．１１プロトコル）準拠ワイヤレスリンクを介してＡＰに接続する。いくつかの実装形態では、ＵＥはＡＰとして使用される場合もある。
【００１８】
[0024]アクセスポイントはまた、ノードＢ、無線ネットワークコントローラ（ＲＮＣ）、ｅノードＢ、基地局コントローラ（ＢＳＣ）、トランシーバ基地局（ＢＴＳ）、基地局（ＢＳ）、トランシーバ機能（ＴＦ）、無線ルータ、無線トランシーバ、接続ポイント、または何らかの他の用語を備え、それとして実装され、またはそれとして知られ得る。
【００１９】
[0025]局はまた、アクセス端末（ＡＴ）、加入者局、加入者ユニット、移動局、リモート局、リモート端末、ユーザ端末、ユーザエージェント、ユーザデバイス、ユーザ機器、または他の何らかの用語を備え、それとして実装され、またはそれとして知られ得る。いくつかの実装形態では、アクセス端末は、セルラー電話、コードレス電話、セッション開始プロトコル（ＳＩＰ）フォン、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の好適なデバイスに組み込まれ得る。
【００２０】
[0026]「関連付ける」または「関連付け」という用語、あるいはそれらの任意の変形態は、本開示のコンテキスト内で可能な最も広い意味を与えられるべきである。例として、第１の装置が第２の装置に関連付けるとき、２つの装置が直接関連付けられ得るか、または中間装置が存在し得ることを理解されたい。簡潔のために、２つの装置間の関連付けを確立するためのプロセスについて、装置のうちの１つによる「関連付け要求」と、後続の、他の装置による「関連付け応答」とを必要とする、ハンドシェイクプロトコルを使用して説明する。ハンドシェイクプロトコルが、例として、認証を行うためのシグナリングなど、他のシグナリングを必要とし得ることが、当業者には理解されよう。
【００２１】
[0027]本明細書における「第１」、「第２」などの名称を使用した要素への言及は、それらの要素の数量または順序を概括的に限定するものでない。むしろ、これらの名称は、本明細書において２つ以上の要素またはある要素の複数の例を区別する便利な方法として使用される。したがって、第１の要素および第２の要素への言及は、２つの要素のみが採用され得ること、または第１の要素が第２の要素に先行しなければならないことを意味するものではない。さらに、項目のリスト「のうちの少なくとも１つ」を指すフレーズは、個々のメンバーを含む、それらの項目の任意の組合せを指す。一例として、「Ａ、Ｂ、またはＣのうちの少なくとも１つ」は、Ａ、またはＢ、またはＣ、またはそれらの任意の組合せ（たとえば、Ａ−Ｂ、Ａ−Ｃ、Ｂ−Ｃ、およびＡ−Ｂ−Ｃ）を包含することを意図するものである。
【００２２】
[0028]上記で説明したように、本明細書で説明するデバイスのいくつかは、たとえば、８０２．１１規格を実装し得る。そのようなデバイスは、ＵＥとして使用されるか、ＡＰとして使用されるか、他のデバイスとして使用されるかにかかわらず、スマートメータリングのために、またはスマートグリッドネットワークにおいて使用され得る。そのようなデバイスは、センサーへの適用例を提供するか、またはホームオートメーションにおいて使用され得る。デバイスは、代わりにまたは加えて、たとえば個人の健康管理のために健康管理の状況において使用され得る。これらのデバイスは、拡張範囲のインターネット接続性（たとえばホットスポットで使用される）を可能にする、または機械間通信を実施するために、監視にも使用され得る。
【００２３】
[0029]図１は、本開示の態様が採用され得る例示的なワイヤレス通信システム１００を示す。ワイヤレス通信システム１００は、ワイヤレス規格、たとえば８０２．１１規格に従って動作し得る。ワイヤレス通信システム１００は、ＵＥ（たとえば、ＵＥ１１２、１１４、１１６、および１１８）と通信するＡＰ１０４を含み得る。
【００２４】
[0030]ＡＰ１０４とＵＥとの間のワイヤレス通信システム１００における送信のために、様々な処理および方法が使用され得る。たとえば、信号は、ＯＦＤＭ／ＯＦＤＭＡ技術に従って、ＡＰ１０４とＵＥとの間で送信および受信され得る。そうである場合、ワイヤレス通信システム１００はＯＦＤＭ／ＯＦＤＭＡシステムと呼ばれ得る。あるいは、信号は、ＣＤＭＡ技法に従って、ＡＰ１０４とＵＥとの間で送信および受信され得る。そうである場合、ワイヤレス通信システム１００は、ＣＤＭＡシステムと呼ばれ得る。
【００２５】
[0031]ＡＰ１０４からＵＥのうちの１つまたは複数への送信を容易にする通信リンクはダウンリンク（ＤＬ）１０８と呼ばれることがあり、ＵＥのうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれ得、アップリンク１１０は逆方向リンクまたは逆方向チャネルと呼ばれ得る。いくつかの態様では、ＤＬ通信は、ユニキャストまたはマルチキャストのトラフィック指示を含み得る。
【００２６】
[0032]いくつかの態様では、ＡＰ１０４は、著しいアナログデジタル変換（ＡＤＣ）クリッピングノイズを発生させずに、同時に２つ以上のチャネル上でＵＬ通信を受信できるように、隣接チャネル干渉（ＡＣＩ）を抑制することができる。ＡＰ１０４は、たとえば、チャネルごとに別々の有限インパルス応答（ＦＩＲ）フィルタを有することによって、または増大されたビット幅をもつより長いＡＤＣバックオフ期間を有することによって、ＡＣＩの抑制を改善することができる。
【００２７】
[0033]ＡＰ１０４は、基地局として働き、基本サービスエリア（ＢＳＡ）１０２においてワイヤレス通信カバレージを提供し得る。ＢＳＡ（たとえば、ＢＳＡ１０２）はＡＰ（たとえば、ＡＰ１０４）のカバレージエリアである。ＡＰ１０４は、ＡＰ１０４に関連し、また通信のためにＡＰ１０４を使用するＵＥとともに、基本サービスセット（ＢＳＳ）と呼ばれ得る。ワイヤレス通信システム１００は、中央ＡＰ（たとえば、ＡＰ１０４）を有しないことがあり、むしろ、ＵＥ間のピアツーピアネットワークとして機能し得ることに留意されたい。したがって、本明細書で説明するＡＰ１０４の機能は、ＵＥのうちの１つまたは複数によって代替的に実行され得る。
【００２８】
[0034]ＡＰ１０４は、ダウンリンク１０８などの通信リンクを介して、ワイヤレス通信システム１００の他のノード（ＵＥ）にビーコン信号（または単に「ビーコン」）を、１つまたは複数のチャネル（たとえば、各チャネルが周波数帯域幅を含む複数の狭帯域チャネル）上で送信し得、ビーコン信号は、他のノード（ＵＥ）がそれらのタイミングをＡＰ１０４と同期させるのを助け得るか、または他の情報もしくは機能を提供し得る。そのようなビーコンは定期的に送信され得る。一態様では、連続する送信の間の期間は、スーパーフレームと呼ばれ得る。ビーコンの送信は、いくつかのグループまたは間隔に分割され得る。一態様では、ビーコンは、限定はされないが、共通クロックを設定するためのタイムスタンプ情報、ピアツーピアネットワーク識別子、デバイス識別子、能力情報、スーパーフレーム継続時間、送信方向情報、受信方向情報、近隣リスト、および／または、拡張近隣リストなどの情報を含んでよく、これらのうちのいくつかが以下でさらに詳細に説明される。したがって、ビーコンは、いくつかのデバイスの間で共通の（たとえば、共有される）情報と、所与のデバイスに固有の情報とを含み得る。
【００２９】
[0035]いくつかの態様では、ＵＥ（たとえば、ＵＥ１１４）は、ＡＰ１０４に通信を送るために、および／またはＡＰ１０４から通信を受信するために、ＡＰ１０４と関連付けることが必要とされ得る。一態様では、関連付けるための情報は、ＡＰ１０４によってブロードキャストされるビーコン中に含まれる。そのようなビーコンを受信するために、ＵＥ１１４は、たとえば、カバレージ領域にわたって広範なカバレージ探索を実行し得る。探索はまた、たとえば、灯台方式でカバレージ領域をスイープすること（sweeping）によって、ＵＥ１１４によって実行され得る。ビーコンかまたはプローブ応答フレームのいずれかから、関連付けるための情報を受信した後、ＵＥ１１４は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホール（backhaul）サービスを使用し得る。
【００３０】
[0036]一態様では、ＵＥ１１４は、様々な機能を実施するための１つまたは複数のモジュールを含み得る。たとえば、ＵＥ１１４は、デバイス発見に関する手順を実施するように構成された発見／スケジューリングモジュール１２４を含み得る。この例では、発見／スケジューリングモジュール１２４は、第１のエリアと関連付けられる第１の基準を含む第１のトリガフレームを送信するように構成され得る。第１のトリガフレームは、第１のエリア内の第１のノードから第１の応答フレームをトリガすることを目的とし得る。発見／スケジューリングモジュール１２４は、第２のエリアと関連付けられる第２の基準を含む第２のトリガフレームを送信するように構成され得る。第２のトリガフレームは、第２のエリア内の第２のノードから第２の応答フレームをトリガすることを目的とし得る。
【００３１】
[0037]別の態様では、発見／スケジューリングモジュール１２４は、あるエリアと関連付けられる基準を含むトリガフレームを受信するように構成され得る。発見／スケジューリングモジュール１２４は、トリガフレームがＵＥ１１４に宛てられているかどうかをトリガフレーム内の基準に基づいて決定するように構成され得る。発見／スケジューリングモジュール１２４は、トリガフレームがＵＥ１１４に宛てられているときに応答フレームを送信するように構成され得る。
【００３２】
[0038]図２は、発見ウィンドウの例を示す図２００である。発見ウィンドウは、ネイバーアウェアネスネットワーク（ＮＡＮ）で使用され得る。ＮＡＮは、ソーシャルＷｉ−Ｆｉ（登録商標）ネットワークの一例である。ＮＡＮは、ＬＴＥ（登録商標）におけるｅＮＢまたはＷｉ−Ｆｉにおけるアクセスポイント（ＡＰ）などのインフラストラクチャ要素を使用せずに互いに通信する１つまたは複数のＵＥおよび／またはノードを含み得る。ＵＥがＮＡＮに進入すると、ＵＥは、そのＮＡＮ内にすでに存在するノードを発見しようと試みる。ＮＡＮ内のノードを発見するために、ＵＥは第１の発見ウィンドウ（ＤＷ−１）２０１の間にトリガフレームを送信する。たとえば、ＵＥはトリガフレーム２０２を送信する。ＵＥのレンジ内のノードは、トリガフレーム２０２を受信し得る。トリガフレーム２０２を受信したことに応答して、ＮＡＮ内のノードの各々は応答フレームを送信する。たとえば、ＮＡＮ内の様々なノードが応答フレーム２０４、２０６、２０８、２１０を送信し得る。各応答フレーム（たとえば、応答フレーム２０４、２０６、２０８、２１０）は、その特定の応答フレームを送信しているノードの識別子（ＩＤ）を含み得る。応答フレーム（たとえば、応答フレーム２０４、２０６、２０８、２１０）を受信すると、ＵＥは、それらの応答フレームを送信したノードのＩＤに基づいてＮＡＮ内のノードを識別する。したがって、ＵＥは、各ノードによって送信された応答フレームを分析することによって、ＮＡＮ内のノードを発見する。
【００３３】
[0039]しかしながら、いくつかの状況下では、２つ以上のノードが、ほぼ同時に応答フレームを送信し得る。このことは、「隠れノード（hidden node）」が存在するときに生じ得る。キャリア検知多重アクセス（ＣＳＭＡ）では、ノードは、別のノードがその時間に送信していないとそのノードが決定したときに、応答フレームを送信する。しかしながら、第１のノードが第２のノードから十分に離れて位置しているとき、第１のノードは第２のノードを検知（たとえば「聴取」）し得ない。したがって、第１のノードは、別のノードがその時間に送信していないと（誤って）決定し得る。そのような状況下では、第２のノードは、少なくとも第１のノードの立場からは「隠れノード」である。
【００３４】
[0040]ノードが互いに「隠されている」とき、そのようなノードは、ほぼ同時に応答フレームを送信し得る。したがって、ＵＥは、ほぼ同時に複数の応答フレームを受信し得る。ほぼ同時に複数の応答フレームを受信することは、衝突を引き起こし得る。２つ以上の応答フレームが衝突を受ける場合、ＵＥは、２つ以上の応答フレームを送信しているノードのＩＤを決定することが不可能になり得る。したがって、ＵＥは、衝突した応答フレームを送信した２つ以上のノードを発見することが不可能である。
【００３５】
[0041]その後、ＵＥは、第２の発見ウィンドウ（ＤＷ−２）２１１で別のトリガフレーム２１２を送信する。トリガフレーム２１２は、それからＵＥが（非衝突の）応答フレーム（たとえば、応答フレーム２０４、２０６、２０８、２１０）を前に受信したノードのＩＤを示し得る。トリガフレーム２１２を受信すると、（非衝突の）応答フレーム（たとえば、応答フレーム２０４、２０６、２０８、２１０）を前に送信したノードは、別の応答フレームを再送信することを控える。しかしながら、別の応答フレームと衝突した応答フレームを前に送信したノードは、ＤＷ−２でまた別の応答フレーム（たとえば、応答フレーム２１４、２１６、２１８、または２２０）を送信する。これらの応答フレームが他の応答フレームと衝突しない場合、ＵＥは、ＤＷ−２の間に対応するノードを発見することになる。したがって、ＤＷ−１の間のおける応答フレーム同士の衝突により、ＵＥによるいくつかのノードの発見が、ＤＷ−１からＤＷ−２へと遅延される。したがって、衝突は、ＮＡＮ内のノードのすべてを発見するためにＵＥが必要とする時間の量を増加させる原因となり得る。したがって、衝突の低減は、ＮＡＮ内のノードのすべてを発見するためにＵＥが必要とする時間の量を低減し得る。
【００３６】
[0042]図３は、ＵＥ３０２のレンジ３２２におけるＵＥ３０２とノード３１２、３１８との間の通信の一例を示す略図３００である。レンジ３２２は、第１のエリア（たとえば、「非隠れエリア（non-hidden area）」）と第２のエリア（たとえば、「隠れエリア（hidden area）」）とに区分され得る（３２０）。第１のエリア（たとえば、「非隠れエリア」）は、ＵＥ３０２に対する径方向距離しきい値内に位置し得る。このエリア内に位置するノードは、互いの送信を検出し得、それによって互いの送信に従い得る。第２のエリア（たとえば、「隠れエリア」）は、径方向距離しきい値を越えて位置し得る。このエリア内に位置するノードは、互いの送信を検出し得ず、また互いの送信に従い得ない。図２に示す例では、第１のエリア（たとえば、「非隠れエリア」）はノード３０６、３１０、３１２を含み、第２のエリア（たとえば、「隠れエリア」）はノード３０４、３０８、３１４、３１６、３１８を含む。本明細書の図に示されたノードの数は例示のために提示されたものであり、本開示の範囲を限定することを意図するものではないことが、当業者には諒解されよう。また、レンジ３２２を２つ以上のエリア（たとえば、「非隠れエリア」と「隠れエリア」）に区分することは任意であり、したがって、本明細書で提供する開示のいずれの要件でもないことが、当業者には諒解されよう。したがって、本明細書で提供する開示は、レンジ３２２を２つ以上のエリアに区分することに、いかなる形でも限定されないものとする。
【００３７】
[0043]第１の発見ウィンドウの間、ＵＥ３０２は、第１のエリア（たとえば、「非隠れエリア」）に位置するノード３１２にトリガフレーム３２４を送信する。トリガフレーム３２４は、ノード３１２から応答フレーム３２６をトリガすることを目的とする。第２の発見ウィンドウの間、ＵＥ３０２は、第２のエリア（たとえば、「隠れエリア」）に位置するノード３１８にトリガフレーム３２８を送信する。トリガフレーム３２８は、ノード３１８から応答フレーム３３０をトリガすることを目的とする。応答フレーム３２６および応答フレーム３３０を異なる発見ウィンドウで受信することにより、応答フレーム３２６と応答フレーム３３０との間の衝突の可能性は低減される。衝突の可能性を低減することは、ノード３１２およびノード３１８を発見するためにＵＥ３０２によって必要とされる時間の量を低減し得る。加えて、複数のノードが第２のエリア（たとえば、「隠れエリア」）に位置する場合には、以下で説明するように、それらのノードによって送信された応答フレームの間の衝突を低減するために、特定の技法が適用され得る。
【００３８】
[0044]いくつかの構成では、トリガフレーム３２４は、信号強度に関係する基準（または第１のエリアと関連付けられる基準）を示す。その基準は、受信信号強度インジケータ（ＲＳＳＩ）しきい値（たとえば、−７０ｄＢｍ）、距離しきい値（たとえば、径方向距離しきい値）、またはリージョン（たとえば、ビーム形成セクタ、円形セクタ）であり得る。トリガフレーム３２４を受信すると、ノード３１２は、トリガフレーム３２４がそのノード３１２に宛てられているかどうかを決定する。ノード３１２は、トリガフレーム３２４がその特定のノードに宛てられているかどうかを、トリガフレーム３２４に含められた信号強度（たとえば、ＲＳＳＩしきい値）に関係する基準に基づいて決定する。たとえば、ノード３１２は、ノード３１２におけるＲＳＳＩをトリガフレーム３２４で示されたＲＳＳＩしきい値と比較し得る。ノード３１２におけるＲＳＳＩが、トリガフレーム３２４で示されたＲＳＳＩしきい値よりも大きい場合、ノード３１２は、トリガフレーム３２４がノード３１２に宛てられていると決定し得る。したがって、基準（またはＲＳＳＩ）は、基準がエリア内に位置するノードから応答をトリガすることを目的としているとき、エリアと関連付けられ得る。上記の例を参照すると、ＲＳＳＩしきい値は非隠れエリア内のノード３１２から応答をトリガすることを目的とするため、ＲＳＳＩしきい値は、非隠れエリアと関連付けられる基準であり得る。非隠れエリアは基本的に、しきい値を超えるＲＳＳＩを有するロケーションを含む。ノード３１８はトリガフレーム３２４に含められたＲＳＳＩしきい値に基づいて応答しないため、ＲＳＳＩしきい値は、隠れエリアとは関連付けられない。
【００３９】
[0045]別の構成では、トリガフレーム３２４は、非隠れエリアと関連付けられるＲＳＳＩレンジ（たとえば、−３０ｄＢｍ〜−７０ｄＢｍ）を含み得る。トリガフレーム３２４を受信すると、ノード３１２は、ノード３１２におけるＲＳＳＩをトリガフレーム３２４に示されたＲＳＳＩレンジと比較することによって、トリガフレーム３２４がそのノード３１２に宛てられているかどうかを決定する。ノード３１２におけるＲＳＳＩが、トリガフレーム３２４で示されたＲＳＳＩレンジ内にある場合、ノード３１２は、トリガフレーム３２４がノード３１２に宛てられていると決定し得る。対照的に、ノード３１２におけるＲＳＳＩが、ＲＳＳＩレンジの外にある場合、ノード３１２は、トリガフレーム３２４がノード３１２に宛てられていないと決定し得る。ＲＳＳＩしきい値は非隠れエリア内のノード３１２から応答をトリガすることを目的とするため、ＲＳＳＩレンジは、非隠れエリアと関連付けられる基準であり得る。ノード３１８はトリガフレーム３２４に含められたＲＳＳＩレンジに基づいて応答しないため、ＲＳＳＩしきい値は、隠れエリアとは関連付けられない。
【００４０】
[0046]トリガフレーム３２４がその特定のノードに宛てられているとノード３１２が決定したとき、ノード３１２は応答フレーム３２６を送信する。ノード３１２は、ＣＳＭＡプロトコルに基づいて応答フレーム３２６を送信し得る。「非隠れエリア」に位置するノードは互いを検知する（たとえば、「聴取する」）ことが可能となり得るため、それらのそれぞれの応答フレームの間の衝突の可能性は低くなる。
【００４１】
[0047]いくつかの構成では、トリガフレーム３２８は、ＲＳＳＩしきい値を示さないか、またはＲＳＳＩしきい値に対してヌル値を示す。トリガフレーム３２８を受信すると、ノード３１８は、トリガフレーム３２８がそのノード３１８に宛てられているかどうかを決定する。トリガフレーム３２８がＲＳＳＩしきい値を示さないかまたはＲＳＳＩしきい値に対してヌル値を示すとき、ノード３１８は、トリガフレーム３２８がその特定のノードに宛てられているかどうかを決定する。トリガフレーム３２８がノード３１８に宛てられているとノード３１８が決定したとき、ノード３１８は応答フレーム３３０を送信する。一態様では、トリガフレーム３２８は、衝突緩和プロシージャを有効化すべきかどうかを示し得る。
【００４２】
[0048]別の態様では、トリガフレーム３２８は、隠れエリアと関連付けられるＲＳＳＩレンジ（たとえば、−７１ｄＢｍ〜−９０ｄＢｍ）を含み得る。トリガフレーム３２８を受信すると、ノード３１８は、ノード３１８におけるＲＳＳＩをＲＳＳＩレンジと比較することによって、トリガフレーム３２８がノード３１８に宛てられているかどうかを決定する。ノード３１８におけるＲＳＳＩが、トリガフレーム３２８で示されたＲＳＳＩレンジの外にある場合、トリガフレーム３２８はノード３１８に宛てられたものではない。他の場合、トリガフレーム３２８は、ノード３１８に宛てられたものである。
【００４３】
[0049]ノード３１８は、衝突緩和プロシージャに従って応答フレーム３３０を送信し得る。ノード３１８が「隠れエリア」内に位置するため、衝突緩和プロシージャが利用され得る。ノード３１８は「隠れエリア」内にあるため、ノード３１８は、ノード３１８から十分離れて位置する他のノードを検知（たとえば、「聴取」）しないことがある。たとえば、ノード３１８は、ノード３０４、３０８、３１４、および／または３１６を検知（たとえば、「聴取」）することが可能でないことがある。衝突緩和プロシージャは、衝突の可能性を低下させ、それによって、ＵＥ３０２のレンジ３２２内のノードのすべてを発見するためにＵＥ３０２が必要とする時間の量を低減し得る。
【００４４】
[0050]いくつかの構成では、衝突緩和プロシージャは、応答フレームを送信するために発見ウィンドウ内のランダムな開始時間を選択することを含み得る。たとえば、ノード３１８は、応答フレーム３３０を送信するためにＣＳＭＡ開始時間をランダム化し得る。ノード３１８が、応答フレーム３３０を送信するためにＣＳＭＡ開始時間をランダム化しない場合、ノード３１８は、トリガフレーム３２８を受信した直後に応答フレーム３３０を送信し得る。たとえば、図２を参照すると、ノード３１８は、トリガフレーム２１２を受信し、その直後に応答フレーム２１４を送信し得る。他のノード（たとえば、ノード３０４、３０８、３１４、および／または３１６）もまた、トリガフレーム２１２（図２を参照）を受信した直後に応答フレームを送信している場合、それらの応答フレームの間の衝突の可能性は高くなる。しかしながら、ノード３１８が、応答フレーム３３０を送信するために、発見ウィンドウ内でランダムなＣＳＭＡ開始時間を選択する場合、応答フレーム３３０と他のノード（たとえば、ノード３０４、３０８、３１４、および／または３１６）からの他の応答フレームとの衝突の可能性は、他の場合よりも低くなる。
【００４５】
[0051]いくつかの構成では、衝突緩和プロシージャは、応答フレーム３３０を送信するために送信要求／送信可（ＲＴＳ／ＣＴＳ）プロシージャを使用することを含み得る。ノード３１８は、ＵＥ３０２に、ノード３１８が応答フレーム３３０を送信するための機会を要求していることを示すＲＴＳメッセージを送り得る。ＲＴＳメッセージを受信した後、ＵＥ３０２はその後、他のノード（たとえば、ノード３０４、３０８、３１４、および／または３１６）がＣＴＳメッセージで示された期間の間に応答フレームを送信することを一時的に控えることを示すＣＴＳメッセージで応答し得る。応答フレームを送信することを一時的に控えることにより、応答フレーム３３０が他の応答フレーム（たとえば、さもなければノード３０４、３０８、３１４、および／または３１６によって送信される応答フレーム）と衝突する可能性が低減される。
【００４６】
[0052]いくつかの構成では、ＵＥ３０２は、ノード３１８に送信されるトリガフレーム３２８内にフィードバック情報を含め得る。フィードバック情報は、ＵＥ３０２におけるトラフィック負荷状態と関連付けられる情報を含み得る。ノード３１８は、そのフィードバック情報を受信する。ノード３１８は、応答フレーム３３０の送信と関連付けられるパラメータを調節するために、そのフィードバック情報を使用する。ノード３１８は、他のノードからの応答フレームの間の衝突の可能性を低減するために、送信パラメータを調節し得る。
【００４７】
[0053]たとえば、ＵＥ３０２は、ＵＥ３０２におけるトラフィック負荷および／または衝突レートを決定し得る。ＵＥ３０２におけるトラフィック負荷および／または衝突レートがしきい値を超えた場合、ノード３１８が送信パラメータを調節するために、ＵＥ３０２はトリガフレーム３２８内にフィードバック情報を含め得る。送信パラメータの一例が「Ｋ」である。一般的に、ノード３１８は、応答フレーム３３０を送信するためにＫ個の発見ウィンドウのうちから１つを選択する。したがって、応答フレーム３３０の送信の頻度は、
【００４８】
【数１】
0006301491.tif 000002
【００４９】
である。パラメータ「Ｋ」を増加させることにより、応答フレーム３３０の送信の頻度は減少する。パラメータ「Ｋ」を減少させることにより、応答フレーム３３０の送信の頻度は増加する。パラメータ「Ｋ」は様々な方法で調節され得る。たとえば、フィードバック情報は、ノード３１８が調節すべき特定のＫ値を推奨し得る。別の例として、フィードバック情報は、ノード３１８が段階的に現在のＫ値を増加または減少させるアップまたはダウンコマンドを含み得る。送信パラメータ「Ｋ」を調節することにより、応答フレームの間の衝突の可能性が低下する。
【００５０】
[0054]いくつかの他の構成では、フィードバック情報は、特定の時間期間中に応答フレームを送信し得るノードのＭＡＣアドレスの範囲を示し得る。たとえば、フィードバック情報は、最後の桁が数字のゼロ（０）で終わるＭＡＣアドレスを有するノードが、特定の時間期間に応答フレームを送信し得ることを示し得る。ノード３１８が、数字のゼロ（０）で終わるＭＡＣアドレスを有する場合、ノード３１８は応答フレーム３３０を送信し得る。しかしながら、ノード３１８が、数字の１で終わるＭＡＣアドレスを有する場合、ノード３１８は応答フレーム３３０を送信することを控え得る。応答フレームを送信することを許可されるノードの数を低減することにより、応答フレームの間の衝突の可能性が低下する。
【００５１】
[0055]いくつかの他の構成では、フィードバック情報はＲＳＳＩ値の範囲を示し得、そのＲＳＳＩ値の範囲内にあるＲＳＳＩ値を有するノードは、ある時間期間中に応答フレームを送信し得る。たとえば、ノード３１８におけるＲＳＳＩ値が、フィードバック情報によって示されたＲＳＳＩ値の範囲内にある場合、ノード３１８は応答フレーム３３０を送信し得る。しかしながら、ノード３１８におけるＲＳＳＩ値が、フィードバック情報によって示されたＲＳＳＩ値の範囲の外にある場合、ノード３１８は応答フレーム３３０を送信することを控え得る。応答フレームを送信することを許可されるノードの数を低減することにより、応答フレームの間の衝突の可能性が低下する。
【００５２】
[0056]図４は、ＵＥ４０２とノードのクラスタとの間の様々な通信の一例を示す略図４００である。まず、ＵＥ４０２はトリガフレーム４２４をノード４１２に送信する。トリガフレーム４２４はＲＳＳＩしきい値を示し得る。ノード４１２におけるＲＳＳＩは、ＲＳＳＩしきい値よりも大きい。ノード４１２は、「非隠れエリア」の縁部上に位置している。「非隠れエリア」の縁部上に位置するノードは、ＲＳＳＩしきい値を超える特定のパーセンテージであるＲＳＳＩ値を有する。たとえば、ＲＳＳＩしきい値が−７０ｄＢｍである場合、「非隠れエリア」の縁部上のノードは、ＲＳＳＩしきい値よりも最高で１０％高いＲＳＳＩ値を有し得る。したがって、ＵＥ４０２は、−６３ｄＢｍ〜−７０ｄＢｍの範囲にあるＲＳＳＩ値を有するノードは「非隠れエリア」の縁部上に位置していると決定し得る。
【００５３】
[0057]一構成では、トリガフレーム４２４を受信したことに応答して、ノード４１２はＵＥ４０２に応答フレーム４２６を送信する。応答フレーム４２６は、ノード４１２の近くに位置する１つまたは複数のノードのＩＤを含み得る。ノード４１２の一定の径方向距離内に位置するすべてのノードは、ノード４１２の近くに位置すると見なされ得る。たとえば、ノード４１４、４１６はノード４１２に対して一定の径方向距離内に位置するため、ノード４１４、４１６は、ノード４１２の近くに位置すると見なされる。ノード４１２は、「非隠れエリア」の縁部上に位置するため、ノード４１２の近くに位置するいくつかのノードは、「隠れエリア」内に位置し得る。図２に示す例では、ノード４１４、４１６は「隠れエリア」内に位置している。
【００５４】
[0058]応答フレーム４２６を受信した後、ＵＥ４０２は、それから応答フレームが前に受信されているノード４１２の近くに位置するノードのＩＤを除外し得る。ＵＥ４０２は次いで、トリガフレーム４２８内に、（応答フレームが前に受信されていない）ノード４１４、４１６の残りのＩＤを含める。トリガフレーム４２８はノード４１４、４１６に送信される。図４は、ＵＥ４０２からノード４１４に送信されているトリガフレーム４２８を示す。図４には示されていないが、トリガフレーム４２８はまた同時にＵＥ４０２からノード４１６にも送信されることが、当業者には理解されよう。トリガフレーム４２８は、ノード４１４、４１６のＩＤを含むため、ノード４１４、４１６はそれぞれ応答フレームを送信する。図４は、ノード４１４からＵＥ４０２に送信されている応答フレーム４３０を示す。図４には示されていないが、別の応答フレーム（図示せず）がまた同時にノード４１６からＵＥ４０２に送信されることが、当業者には理解されよう。したがって、ＵＥ４０２はノード４１４、４１６から応答フレームを受信する。
【００５５】
[0059]トリガフレーム４２８は、ノード４１２の近くにあるノードのみのＩＤを含むため、応答フレームは、「隠れエリア」内に位置する他のノードによっては送信されない。たとえば、応答フレームは、同様に「隠れエリア」内に位置するノード４０４、４０８、４１８によっては送信されない。ある時間期間中に応答フレームを送信するノードの数を制限することにより、衝突の可能性が低減される。
【００５６】
[0060]ＵＥ４０２は、「非隠れエリア」内のノード（たとえば、ノード４１２、４０６、４１０）のすべてから応答フレームを受信する。各応答フレームは、それらのノードのネイバー（たとえば、ノード４１２、４０６、４１０のネイバー）であるノードのＩＤを示し得る。ＵＥ４０２は、どのノードが「非隠れエリア」の縁部上に位置するかを決定するために使用されるパラメータを調節し得る。たとえば、ＵＥ４０２は、すべてのＲＳＳＩの下位２０％にあるＲＳＳＩ値は「非隠れエリア」の縁部上に位置していると決定し得る。
【００５７】
[0061]「非隠れエリア」の縁部上のノードから受信された応答フレームの各々に対し、ＵＥ４０２は、応答フレームが前に受信されなかったノードのＩＤを抽出し得、またＵＥ４０２はその後、それらのノードのＩＤを有するトリガフレームを送信し得る。トリガフレーム内に含められたＩＤを有するノードは、ＣＳＭＡに基づいて応答フレームで応答する。応答フレームがそれ以上、受信されなくなると、ＵＥ４０２は、「非隠れエリア」の縁部上のノードからＵＥ４０２によって受信された応答フレームのすべてが処理されるまで、異なる応答フレームに対して上記で説明した手順を反復し得る。したがって、上記の手順は、ノードの種々のクラスタが種々の時間に応答フレームを提供するのを促進し、それによって、それらの応答フレームの間の衝突の可能性を低減する。
【００５８】
[0062]別の構成では、トリガフレーム４２４を受信したことに応答して、ノード４１２は、ノード４１２におけるＲＳＳＩがトリガフレーム４２４内のＲＳＳＩしきい値よりも大きい（および／またはそれに等しい）場合、ＵＥ４０２に応答フレーム４２６を送信し得る。応答フレーム４２６を受信した後、ＵＥ４０２はノード４１４にトリガフレーム４２８を送信し得る。トリガフレーム４２８は、ノード４１２と関連付けられるＩＤと、第２のＲＳＳＩしきい値とを含み得る。ノード４１４は、トリガフレーム４２８を受信し、ノード４１４とノード４１２との間のＲＳＳＩが第２のＲＳＳＩしきい値よりも大きいかどうかを決定し得る。ノード４１４とノード４１２との間のＲＳＳＩが第２のＲＳＳＩしきい値よりも大きいかまたはそれに等しいとき、ノード４１４は、ＵＥ４０２に応答フレーム４３０を送信し得る。しかしながら、ノード４１４とノード４１２との間のＲＳＳＩが第２のＲＳＳＩしきい値よりも小さいとき、ノード４１４は、応答することを控え得る。ノード４１４は、ノード４１４とノード４１２との間のＲＳＳＩがトリガフレーム４２８内の第２のＲＳＳＩしきい値よりも大きいかまたはそれに等しいとき、ノード４１４がノード４１２に近接していると決定し得る。ノード４１４は、ノード４１２によって送られた応答フレーム４２６またはノード４１２によって前に送られた任意のフレームに基づいて、ノード４１４とノード４１２との間のＲＳＳＩを測定し得る。
【００５９】
[0063]図５は、ＵＥ５０２とＵＥ５０２に近接して位置するノードとの間の様々な通信の一例を示す略図５００である。まず、ＵＥ５０２は、ＵＥ５０２に最も近接して位置するノード５１０にトリガフレーム５２２を送信する。ＵＥ５０２は、そのレンジ内のノードのＲＳＳＩ値を比較することによって、そのレンジ内のどのノードがＵＥ５０２に最も近接して位置するかを決定し得る。ＵＥ５０２に最も近接して位置するノードは、最も高いＲＳＳＩ値を有する。図５に示す例では、ノード５１０におけるＲＳＳＩ値がＵＥ５０２のレンジ内の他のすべてのノードにおけるＲＳＳＩ値よりも高いため、ノード５１０がＵＥ５０２に最も近接して位置している。
【００６０】
[0064]トリガフレーム５２２は、ノード５１０がトリガフレーム５２２を受信するより前に発見した他のノードのＩＤのリストをノード５１０が送信するための要求を含む。トリガフレーム５２２を受信したことに応答して、ノード５１０は、要求されたＩＤのリストを含んだ応答フレーム５２４を送信する。ノード５１０が、トリガフレーム５２２を受信するより前にノード５０４、５０８、５１４、５１６、５１８を発見したと仮定すると、ノード５１０は、リスト内にノード５０４、５０８、５１４、５１６、５１８のＩＤを含む。ノード５１０は、応答フレーム５２４でＵＥ５０２にＩＤのリストを送信する。
【００６１】
[0065]ＵＥ５０２は、ノード５１０からＩＤのリストを受信する。ＵＥ５０２は、ノード５０４、５０８、５１４、５１６、５１８による応答フレームの送信のために、受信されたＩＤのリストを使用して、発見ウィンドウの間にタイムスロットをスケジュールする。ＵＥ５０２は、ノード５０４、５０８、５１４、５１６、５１８がそれぞれの応答フレームを同時に送信しないように、発見ウィンドウ内でタイムスロットをスケジュールする。また、応答フレームのすべてが発見ウィンドウ内のスケジュールされたタイムスロットに従って送信されるように、伝送媒体は十分な期間にわたって確保される。ＵＥ５０２がノード５０４、５０８、５１４、５１６、５１８に対する応答フレームをスケジュールした後、ＵＥ５０２は、ノード５０４、５０８、５１４、５１６、５１８にトリガフレーム（図示せず）を送信する。ノード５０４、５０８、５１４、５１６、５１８に送信されたトリガフレームは、ノード５０４、５０８、５１４、５１６、５１８によって応答フレームを送信するためのスケジュールを含む。ノード５０４、５０８、５１４、５１６、５１８は、発見ウィンドウ内のスケジュールされたタイムスロットにおいて、それらの応答フレームを送信する。ノード５０４、５０８、５１４、５１６、５１８は、発見ウィンドウ内の異なるタイムスロットにおいて、それらそれぞれの応答フレームを送信するため、衝突の可能性が低減される。それらそれぞれの応答フレームの間の衝突の可能性を低減することは、ノード５０４、５０８、５１４、５１６、５１８を発見するためにＵＥ５０２によって必要とされる時間の量を低減し得る。
【００６２】
[0066]ノード５０４、５０８、５１４、５１６、５１８がそれらそれぞれの応答フレームを送信した後、ＵＥ５０２は、ＵＥ５０２に次に最も近接するノードにトリガフレームを送り得る。ＵＥ５０２に次に最も近接して位置するノードは、（ノード５１０におけるＲＳＳＩ値と比較して）次に最も高いＲＳＳＩ値を有するノードとなる。図５に示す例では、ＵＥ５０２に次に最も近接するノードはノード５０６である。ＵＥ５０２はトリガフレーム５２６をノード５０６に送信する。トリガフレーム５２６は、ノード５０６がトリガフレーム５２６を受信するより前に発見した他のノードのＩＤのリストをノード５０６が提供するための、ＵＥ５０２による要求を含む。トリガフレーム５２６を受信したことに応答して、ノード５０６はＵＥ５０２に応答フレーム５２８を送信する。応答フレーム５２８は、ノード５０６の近くに位置する他のノードのＩＤのリストを含む。ノード５１０に関して上記で説明した同様の特徴が、ノード５０６に当てはめられ得、したがって繰り返し説明されない。しかしながら、ＵＥ５０２は、前の発見ウィンドウの間に応答フレームを前に送信したノードのいかなる応答フレームに対しても、タイムスロットをスケジュールしない。ＵＥは、最も近接するノードの上位Ｘ個または上位Ｘパーセントの各々に対して、上記で説明した手順を繰り返し得る。
【００６３】
[0067]図６は、ＵＥ６０２と円形の種々のセクタ（本明細書では「円形セクタ」と呼ばれることもある）に位置する様々なノードとの間の様々な通信の一例を示す略図６００である。いくつかの構成では、ＵＥ６０２のレンジ６２０は、２つ以上の円形セクタに区分され得る。図６に示す例では、ＵＥ６０２のレンジ６２０は、６つの円形セクタに区分されている。各円形セクタは、ＵＥ６０２のレンジ６２０のほぼ６０°をカバーしている。しかしながら、セクタのサイズは、様々な要素に基づいて調節され得る。たとえば、図６を参照すると、セクタ４は最大数のノードを有しているため、セクタ４のサイズは増大され得る。したがって、各円形セクタは必ずしも同じサイズでなければならないとは限らないことが当業者には理解されよう。
【００６４】
[0068]いくつかの構成では、トリガフレームはＵＥ６０２のロケーションを示す。トリガフレームはまた、ＵＥ６０２のロケーションに対するノードのロケーションに基づいて、そのレンジ６２０内のノードから応答フレームを受信するためのタイムスロットを示し得る。たとえば、ＵＥ６０２はトリガフレーム６２２をノード６０６および６０８に送信する。トリガフレーム６２２に含められたロケーション情報に基づいて、ノード６０６は、ノード６０６がセクタ２に位置すると決定し、ノード６０８はノード６０８がセクタ３に位置すると決定する。トリガフレーム６２２は、セクタ２に位置するノード（たとえば、ノード６０６）がそれらの応答フレーム（たとえば、応答フレーム６２４）を時間ｘに送信するようにスケジュールされており、セクタ３に位置するノード（たとえば、ノード６０８）がそれらの応答フレーム（たとえば、応答フレーム６２６）を時間ｙに送信するようにスケジュールされていることを示し、ここでｘ≠ｙである。ノード６０６は応答フレーム６２４を時間ｘに送信する。ノード６０８は応答フレーム６２６を時間ｙに送信する。したがって、応答フレーム６２４は、ＵＥ６０２のロケーションに対するノード６０６のロケーションに基づいた時間に送信される。同様に、応答フレーム６２６は、ＵＥ６０２のロケーションに対するノード６０８のロケーションに基づいた時間に送信される。応答フレーム６２４、６２６は異なる時間に送信されるため、それらの応答フレームの間の衝突の可能性が低減され、それによって、それらのノードを発見するためにＵＥ６０２が必要とする時間の量が低減される。セクタ２および３に関して上記で説明した同様の手順が、セクタ１、４、５、および６に関しても実施され得、したがって繰り返し説明されない。
【００６５】
[0069]図７は、ＵＥ７０２と種々のビーム形成セクタ内に位置する様々なノードとの間の様々な通信の一例を示す略図７００である。いくつかの構成では、ＵＥ７０２は、複数のアンテナを有する。複数のアンテナを有することにより、ＵＥ７０２は、１つ以上のビームを形成することが可能である。各ビームは、本明細書では「ビーム形成セクタ」と呼ばれることもあるエリアをカバーし得る。図７に示した例に示すように、ＵＥ７０２は、ビーム形成セクタ７２２、７２４、７２６、７２８、７３０、７３２に対応する６つの異なるビームを形成する。しかしながら、本開示の範囲から逸脱することなく任意の数のビームが形成され得るよりも、当業者には理解されよう。
【００６６】
[0070]ＵＥ７０２は、ノード７０６を含むビーム形成セクタ７２２内に位置するノードに、トリガフレーム７３４を送信する。いくつかの構成では、ＵＥ７０２は、単一のアンテナ（すなわち、非ビーム形成）を使用してトリガフレーム７３４のプリアンブルを送信する。単一のアンテナはカバレージエリア７２０を有し得る。ＵＥ７０２は、複数のアンテナ（すなわち、ビーム形成）を使用してトリガフレーム７３４の残りの部分を送信する。ノード７０６は、トリガフレーム７３４のビーム形成部分のＲＳＳＩ値が、トリガフレーム７３４のＲＳＳＩ値非ビーム形成プリアンブルよりも大きいとき、ノード７０６がビーム形成セクタ７２２内にあると決定し得る。
【００６７】
[0071]トリガフレーム７３４を受信したことに応答して、ノード７０６はＵＥ７０２に応答フレーム７３６を送信する。したがって、応答フレーム７３６は、ビーム形成セクタ７２２内にあるノード７０６のロケーションに基づいた時間に送信される。ＵＥ７０２はまた、同様にビーム形成セクタ７２２内に位置し得る他のノード（図示せず）から応答フレームを受信し得る。
【００６８】
[0072]ビーム形成セクタ７２２内に位置するすべてのノードからの応答フレームがＵＥ７０２によって受信された後、ＵＥ７０２は、ノード７０８を含むビーム形成セクタ７２４内に位置するすべてのノードにトリガフレーム７３８を送信する。トリガフレーム７３８を受信したことに応答して、ノード７０８はＵＥ７０２に応答フレーム７４０を送信する。したがって、応答フレーム７４０は、ビーム形成セクタ７２４内にあるノード７０８のロケーションに基づいた時間に送信される。ＵＥ７０２はまた、同様にビーム形成セクタ７２４内に位置し得る他のノード（図示せず）から応答フレームを受信し得る。応答フレーム７３６、７４０は異なる時間に送信されるため、それらの応答フレームの間の衝突の可能性が低減され、それによって、それらのノードを発見するためにＵＥ７０２が必要とする時間の量が低減される。ビーム形成セクタ７２２、７２４に関して上記で説明した同様の手順が、ビーム形成セクタ７２６、７２８、７３０、７３２に関しても実施され得、したがって繰り返し説明されない。
【００６９】
[0073]図８は、ＵＥ８０２と様々なサービング優先度ランク（ＳＰＲ）を有するノードとの間の様々な通信の一例を示す略図８００である。ノードのＳＰＲは、要求されたサービスを提供しようとするそのノードの意欲に対応し得る。第１のノードが、より長いバッテリー寿命、より低い移動性、および／または提供されたサービスと要求されたサービスとのより緊密な整合性を有するとき、第１のノードは、第２のノードと比べてより高いＳＰＲを有し得る。いくつかの構成では、ＵＥ８０２のレンジ８２０は、「非隠れエリア」と「隠れエリア」とに区分（８１８）され得る。しかしながら、上記に示したように、ＵＥ８０２のレンジ８２０を２つ以上のエリア（たとえば、「非隠れエリア」と「隠れエリア」）に区分することは任意であり、したがって、本明細書で提供するいかなる開示をも限定するものではない。
【００７０】
[0074]いくつかの構成では、ＵＥ８０２はトリガフレーム８２２をノード８１４に送信する。図８に示す例では、ノード８１４は「非隠れエリア」内に位置している。トリガフレーム８２２を受信すると、ノード８１４は、それ自体のＳＰＲを、近くに位置する他のノードのＳＰＲと比較し得る。たとえば、ノード８１４はＳＰＲ＝ｘを有し得、ノード８１４の近くに位置するノード８１２はＳＰＲ＞ｘを有し得る。ノード８１４のＳＰＲは、ノード８１４の近くに位置する別のノードのＳＰＲよりも低いため、ノード８１４は、ＵＥ８０２に応答フレーム８２４を送信することを控え得る。応答フレーム８２４を送信することを控えることにより、ノード８１４は、ノード８１２がノード８１４からの応答フレーム８２４と衝突することなくそれ自体の応答フレーム（図示せず）を送信する機会を提供する。追加または代替として、近くのノード（たとえば、ノード８１２）がノード８１４のＳＰＲよりも高いＳＰＲを有していることをノード８１４が検知したとき、ノード８１４は、応答フレーム８２４の送信を停止するかまたはその送信の速度を減速し得る。たとえば、ノード８１４は、近くのノード８１２がノード８１４のＳＰＲよりも高いＳＰＲを有していることを、ノード８１４によってノード８１２から前に受信された応答フレーム（図示せず）に基づいて検知し得る。
【００７１】
[0075]いくつかの構成では、ＵＥ８０２はトリガフレーム８２６をノード８１６に送信する。図８に示す例では、ノード８１６は「隠れエリア」内に位置している。トリガフレーム８２６は、「非隠れエリア」内のノードのＳＰＲのすべての中で最も高いＳＰＲを示し得る。ノード８１６のＳＰＲが、トリガフレーム８２６で示された最も高いＳＰＲよりも高い場合、ノード８１６は、ＵＥ８０２に応答フレーム８２８を送信する。たとえば、ノード８１６のＳＰＲはｙである。ｙの値が、「隠れエリア」内の別のノード（たとえば、ノード８０６）のＳＰＲよりも大きい場合、ノード８１６はＵＥ８０２に応答フレーム８２８を送信する。しかしながら、ｙの値が他のノード（たとえば、ノード８０６）のＳＰＲよりも小さいかまたはそれに等しい場合、ノード８１６はＵＥ８０２に応答フレーム８２８を送信することを控える。ＵＥ８０２に応答フレームを送信することを許可される、「隠れエリア」内のノードの数を制限することにより、衝突の可能性が低減され、それによって、レンジ８２０内のノードを発見するためにＵＥ８０２が必要とする時間の量が低減される。
【００７２】
[0076]図９は、ワイヤレス通信の第１の方法のフローチャート９００である。この方法は、ＵＥによって実施され得る。ステップ９０２において、ＵＥは、第１のエリアと関連付けられる第１の基準を含んだ第１のトリガフレームを送信する。このトリガフレームは、第１のエリア内の第１のノードから第１の応答フレームをトリガすることを目的とする。たとえば、図３を参照すると、ＵＥ３０２は、ＲＳＳＩしきい値を有するトリガフレーム３２４を送信しており、トリガフレーム３２４は、「非隠れエリア」内に位置するノード３１２から応答フレーム３２６をトリガすることを目的としている。
【００７３】
[0077]一構成では、ステップ９０４において、ＵＥは第１のノードから第１の応答フレームを受信し得る。この第１の応答フレームは、第１のノードの近くに位置する１つまたは複数の他のノードの識別子を含み得る。たとえば、図４を参照すると、ＵＥ４０２は応答フレーム４２６を受信している。応答フレーム４２６は、ノード４１２の近くに位置するノード４１４、４１６のＩＤを含む。
【００７４】
[0078]別の構成では、ステップ９０６において、第１のノードにおけるＲＳＳＩがＲＳＳＩしきい値よりも大きいとき、ＵＥは、非隠れエリア内の第１のノードからリストを受信し得る。たとえば、図５を参照すると、ノード５１０におけるＲＳＳＩがＲＳＳＩしきい値よりも大きいため、ＵＥ５０２は、「非隠れエリア」内のノード５１０から、リストを含んだ応答フレーム５２４を受信する。ステップ９０８において、ＵＥは、受信されたリストを使用して、第２のノードによる第２の応答フレームの送信のためにタイムスロットをスケジュールする。たとえば、図５を参照すると、ＵＥ５０２は、受信されたリストを使用して、ノード５０４、５０８、５１４、５１６、および／または５１８からの応答フレームの送信のためにタイムスロットをスケジュールする。
【００７５】
[0079]また別の構成では、ステップ９１０において、第１のノードにおけるＲＳＳＩが第１の基準よりも大きく、第１の基準がＲＳＳＩしきい値であるとき、ＵＥは、第１のノードから第１の応答フレームを受信し得る。たとえば、図４を参照すると、ノード４１２におけるＲＳＳＩがトリガフレーム４２４に含められたＲＳＳＩしきい値よりも大きいとき、ＵＥ４０２は、ノード４１２から応答フレーム４２６を受信する。
【００７６】
[0080]ステップ９１２において、ＵＥは、第２のエリアと関連付けられる第２の基準を含んだ第２のトリガフレームを送信し得、その第２のトリガフレームは、第２のエリア内の第２のノードから第２の応答フレームをトリガすることを目的とし得る。たとえば、図３を参照すると、ＵＥ３０２は、「隠れ」エリアと関連付けられるＲＳＳＩしきい値を含んだトリガフレーム３２８を送信しており、トリガフレーム３２４は、「隠れエリア」内に位置するノード３１８から応答フレーム３３０をトリガすることを目的としている。
【００７７】
[0081]いくつかの構成では、ＵＥは、第２のトリガフレーム（たとえば、トリガフレーム４２８）内に１つまたは複数の他のノード（たとえば、ノード４１４）の識別子を含める。ステップ９１４において、ＵＥは、１つまたは複数の他のノードから応答フレームを受信する。たとえば、図４を参照すると、ＵＥ４０２はノード４１４から応答フレーム４３０を受信している。
【００７８】
[0082]別の構成では、第２のトリガフレームは、第１のノードと関連付けられるＩＤと第２のＲＳＳＩしきい値とを含み得る。この構成では、ステップ９１６において、第２のノードと第１のノードとの間の第２のＲＳＳＩが第２のトリガフレームで送信された第２のＲＳＳＩしきい値よりも大きいかまたはそれに等しいとき、ＵＥは、第２のノードから第２の応答フレームを受信し得る。第２のＲＳＳＩしきい値は第２の基準であり得る。たとえば、図４を参照すると、ノード４１４とノード４１２との間のＲＳＳＩがトリガフレーム４２８で送信されたＲＳＳＩしきい値よりも大きいかまたはそれに等しいとき、ＵＥ４０２は、ノード４１４から応答フレーム４３０を受信し得る。
【００７９】
[0083]図１０は、ワイヤレス通信の第２の方法のフローチャート１０００である。この方法は、ＵＥによって実施され得る。ステップ１００２において、ＵＥは、あるエリアと関連付けられる基準を含んだトリガフレームを受信し得る。たとえば、図３を参照すると、ノード３１８は、隠れエリアと関連付けられるＲＳＳＩしきい値を有するトリガフレーム３２８を受信する。
【００８０】
[0084]ステップ１００４において、ＵＥは、トリガフレームがそのＵＥに宛てられているかどうかを、トリガフレーム内の基準に基づいて決定し得る。たとえば、図３を参照すると、ノード３１２におけるＲＳＳＩがトリガフレーム３２４に含められたＲＳＳＩしきい値よりも大きいかまたはそれに等しいとき、ノード３１２は、トリガフレーム３２４がノード３１２に宛てられていると決定する。別の例では、トリガフレーム３２８がＲＳＳＩしきい値を示さないかまたはＲＳＳＩしきい値に対してヌル値を示すとき、ノード３１８は、トリガフレーム３２８がノード３１８に宛てられていると決定する。
【００８１】
[0085]いくつかの構成では、ステップ１００６において、ＵＥは、トラフィック負荷状態と関連付けられるフィードバック情報を受信し得る。たとえば、図３を参照すると、ノード３１８は、ＵＥ３０２におけるトラフィック負荷状態と関連付けられるフィードバック情報を、トリガフレーム３２８で受信する。ステップ１００８において、ＵＥは、そのフィードバック情報を使用して、応答フレームの送信と関連付けられるパラメータを調節し得る。たとえば、図３を参照すると、ノード３１８は、トリガフレーム３２８に含められたフィードバック情報を使用して、応答フレーム３３０の送信と関連付けられるパラメータを調節する。たとえば、ノード３１８は、負荷または衝突レートがノード３０２において高い場合、送信確率または周波数パラメータを低減し得る。
【００８２】
[0086]ステップ１０１０において、トリガフレームがＵＥに宛てられているとき、ＵＥは応答フレームを送信し得る。たとえば、図３を参照すると、トリガフレーム３２８がノード３１８に宛てられているとき、ノード３１８は応答フレーム３３０を送信する。
【００８３】
[0087]図１１は、図１のワイヤレス通信システム内で発見を実施し得るワイヤレスデバイスの例示的な機能ブロック図を示す。ワイヤレスデバイス１１０２は、本明細書で説明される様々な方法を実施するように構成され得るデバイスの一例である。たとえば、ワイヤレスデバイス１１０２は、ＵＥ１１２、１１４、１１６、および１１８のうちの１つを備え得る。
【００８４】
[0088]ワイヤレスデバイス１１０２は、ワイヤレスデバイス１１０２の動作を制御するプロセッサ１１０４を含み得る。プロセッサ１１０４はまた、中央処理ユニット（ＣＰＵ）とも呼ばれ得る。読取り専用メモリ（ＲＯＭ）とランダムアクセスメモリ（ＲＡＭ）との両方を含み得るメモリ１１０６は、命令とデータとをプロセッサ１１０４に提供し得る。メモリ１１０６の一部分は、不揮発性ランダムアクセスメモリ（ＮＶＲＡＭ）も含み得る。プロセッサ１１０４は、通常、メモリ１１０６内に記憶されたプログラム命令に基づいて論理演算と算術演算とを実施する。メモリ１１０６内の命令は、本明細書で説明する方法を実施するために（たとえば、プロセッサ１１０４によって）実行可能であり得る。
【００８５】
[0089]プロセッサ１１０４は、１つまたは複数のプロセッサにより実装された処理システムを備えてよく、またはその処理システムのコンポーネントであってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェアコンポーネント、専用ハードウェア有限状態機械、または情報の計算もしくは他の操作を実行することができる任意の他の適切なエンティティの任意の組合せにより実装され得る。
【００８６】
[0090]処理システムは、ソフトウェアを記憶するための機械可読媒体も含み得る。ソフトウェアは、ソフトウェア、ファームウェア、ミドルウェア、マイクロコード、ハードウェア記述言語、または他の用語のいずれで呼ばれるかにかかわらず、任意のタイプの命令を意味するものとして広範に解釈されるべきである。命令は、（たとえば、ソースコードフォーマット、バイナリコードフォーマット、実行可能コードフォーマット、または任意の他の適切なコードのフォーマットの）コードを含み得る。命令は、１つまたは複数のプロセッサによって実行されたとき、処理システムに、本明細書で説明される様々な機能を実施させる。
【００８７】
[0091]ワイヤレスデバイス１１０２はまた、ワイヤレスデバイス１１０２とリモートデバイスとの間のデータの送信と受信とを可能にするために、送信機１１１０および／または受信機１１１２を含み得るハウジング１１０８を含み得る。送信機１１１０および受信機１１１２は、トランシーバ１１１４内に組み込まれ得る。アンテナ１１１６は、ハウジング１１０８に取り付けられ、トランシーバ１１１４に電気的に結合され得る。ワイヤレスデバイス１１０２はまた、複数の送信機、複数の受信機、複数のトランシーバ、および／または複数のアンテナを含み得る（図示されず）。
【００８８】
[0092]ワイヤレスデバイス１１０２はまた、トランシーバ１１１４または受信機１１１２によって受信された信号のレベルを検出および定量化するために使用され得る信号検出器１１１８を含み得る。信号検出器１１１８は、総エネルギー、シンボルごとのサブキャリアごとのエネルギー、電力スペクトル密度および他の信号などの信号を検出し得る。ワイヤレスデバイス１１０２はまた、信号の処理に使用するためのデジタル信号プロセッサ（ＤＳＰ）１１２０を含み得る。ＤＳＰ１１２０は、送信のためのパケットを生成するために構成され得る。いくつかの態様では、パケットは、物理層データユニット（ＰＰＤＵ）を備え得る。
【００８９】
[0093]いくつかの態様では、ワイヤレスデバイス１１０２はさらに、ユーザインターフェース１１２２を備え得る。ユーザインターフェース１１２２は、キーパッド、マイクロホン、スピーカー、および／またはディスプレイを備え得る。ユーザインターフェース１１２２は、ワイヤレスデバイス１１０２のユーザに情報を伝達するおよび／またはユーザからの入力を受信する、任意の要素または構成要素を含み得る。
【００９０】
[0094]ワイヤレスデバイス１１０２がＵＥ（たとえば、ＵＥ１１４）として実装されるとき、ワイヤレスデバイス１１０２はまた、発見／スケジューリングモジュール１１２４を備え得る。一構成では、発見／スケジューリングモジュール１１２４は、第１のエリアと関連付けられる第１の基準を含む第１のトリガフレームを送信するように構成され得る。第１のトリガフレームは、第１のエリア内の第１のノードから第１の応答フレームをトリガすることを目的とし得る。発見／スケジューリングモジュール１１２４は、第２のエリアと関連付けられる第２の基準を含む第２のトリガフレームを送信するように構成され得る。第２のトリガフレームは、第２のエリア内の第２のノードから第２の応答フレームをトリガすることを目的とし得る。一態様では、第１のエリアは、ワイヤレスデバイス１１０２に対して径方向距離しきい値内に位置し得、第２のエリアは、径方向距離しきい値を越えて位置し得る。別の態様では、第１のトリガフレームはＲＳＳＩしきい値を示し得る。第２のトリガフレームは、ＲＳＳＩしきい値を示さなくてもよく、またはＲＳＳＩしきい値に対してヌル値を示してもよい。別の態様では、第１のトリガフレームは第１のＲＳＳＩレンジを示し得る。第１のトリガフレームは、第１のＲＳＳＩレンジに基づいて、第１のエリア内の第１のノードから第１の応答フレームをトリガすることを目的とし得る。第２のトリガフレームは第２のＲＳＳＩレンジを示し得る。第２のトリガフレームは、第２のＲＳＳＩレンジに基づいて、第２のエリア内の第２のノードから第２の応答フレームをトリガすることを目的とし得る。別の態様では、第２のトリガフレームは、ワイヤレスデバイス１１０２におけるトラフィック負荷状態と関連付けられるフィードバック情報を含み得る。別の態様では、第１のトリガフレームはＲＳＳＩしきい値を示し得る。この態様では、発見／スケジューリングモジュール１１２４は、第１のノードから第１の応答フレームを受信するように構成され得、第１の応答フレームは、第１のノードの近くに位置する１つまたは複数の他のノードの識別子を含み得る。第１のノードにおけるＲＳＳＩは、ＲＳＳＩしきい値よりも大きくなり得、第２のトリガフレームは、１つまたは複数の他のノードの各々の識別子とともに送信され得る。発見／スケジューリングモジュール１１２４は、１つまたは複数の他のノードから応答フレームを受信するように構成され得る。別の態様では、発見／スケジューリングモジュール１１２４は、第１のノードにおける第１のＲＳＳＩが第１の基準よりも大きいときに第１のノードから第１の応答フレームを受信するように構成され得る。第１の基準は第１のＲＳＳＩしきい値であり得、第２のトリガフレームは、第１のノードと関連付けられる識別子とともに、また第２のＲＳＳＩしきい値とともに送信され得る。この態様では、発見／スケジューリングモジュール１１２４は、第２のノードと第１のノードとの間の第２のＲＳＳＩが第２のトリガフレームで送信された第２のＲＳＳＩしきい値よりも大きいかまたはそれに等しいときに第２のノードから第２の応答フレームを受信するように構成され得る。別の構成では、発見／スケジューリングモジュール１１２４は、第１のノードにおけるＲＳＳＩがＲＳＳＩしきい値よりも大きいときに第１のエリア内の第１のノードからリストを受信するように構成され得る。このリストは、第１のノードによって前に発見された１つまたは複数の他のノードの識別子を含み得る。第２のノードは、それらの１つまたは複数の他のノードのうちの１つであり得る。発見／スケジューリングモジュール１１２４は、受信されたリストを使用して、第２のノードによる第２の応答フレームの送信のためにタイムスロットをスケジュールするように構成され得る。別の態様では、第１のエリアは第１の円形セクタであり得、第２のエリアは、第１の円形セクタとは異なる第２の円形セクタであり得る。別の態様では、第１および第２のトリガフレームは、ワイヤレスデバイス１１０２のロケーションに対応する情報を含み得る。第１のトリガフレームは、ワイヤレスデバイス１１０２のロケーションに対する第１のノードのロケーションに基づいて、第１の応答フレームを受信するための第１のタイムスロットを示し得る。第２のトリガフレームは、ワイヤレスデバイス１１０２のロケーションに対する第２のノードのロケーションに基づいて、第２の応答フレームを受信するための第２のタイムスロットを示し得る。別の態様では、第１のエリアは第１のビーム形成セクタであり得、第２のエリアは、第１のビーム形成セクタとは異なる第２のビーム形成セクタであり得る。別の態様では、第１のトリガフレームは、第１の時間に、第１のビーム形成セクタに位置する第１のノードに送信され得る。第２のトリガフレームは、第１の時間とは異なる第２の時間に、第２のビーム形成セクタに位置する第２のノードに送信され得る。
【００９１】
[0095]別の構成では、発見／スケジューリングモジュール１１２４は、あるエリアと関連付けられる基準を含むトリガフレームを受信するように構成され得る。発見／スケジューリングモジュール１１２４は、トリガフレームがワイヤレスデバイス１１０２に宛てられているかどうかをトリガフレーム内の基準に基づいて決定するように構成され得る。発見／スケジューリングモジュール１１２４は、トリガフレームがワイヤレスデバイス１１０２に宛てられているときに応答フレームを送信するように構成され得る。ある態様では、基準はＲＳＳＩしきい値であり得る。別の態様では、トリガフレームは、衝突緩和プロシージャを有効化するかどうかを示し得、応答フレームの送信は、その衝突緩和プロシージャに従い得る。この態様では、衝突緩和プロシージャに従う送信は、応答フレームを送信するための発見ウィンドウ内のランダムな開始時間の選択および応答フレームを送信するためのＲＴＳ／ＣＴＳプロシージャの実装の少なくとも一方を含み得る。別の態様では、発見／スケジューリングモジュール１１２４は、トラフィック負荷状態と関連付けられるフィードバック情報を受信するように構成され得る。発見／スケジューリングモジュール１１２４は、そのフィードバック情報を使用して、応答フレームの送信と関連付けられるパラメータを調節するように構成され得る。一態様では、応答フレームは、トリガフレームの送信機のロケーションに対するワイヤレスデバイス１１０２のロケーションに基づいた時間に送信され得る。別の態様では、応答フレームは、ビーム形成セクタ内のワイヤレスデバイス１１０２のロケーションに基づいた時間に送信され得る。また別の態様では、発見／スケジューリングモジュール１１２４は、ワイヤレスデバイス１１０２のサービング優先度ランクが、ワイヤレスデバイス１１０２によって受信された応答フレームを前に送った近隣ノードのサービング優先度ランクよりも低いときに、応答フレームを送信することを控えるように構成され得る。
【００９２】
[0096]図１２は、発見を実施するための例示的なワイヤレス通信デバイス１２００の機能ブロック図である。ワイヤレス通信デバイス１２００は、受信機１２０５と、処理システム１２１０と、送信機１２１５とを含み得る。処理システム１２１０は発見／スケジューリングモジュール１２２４を含み得る。
【００９３】
[0097]一構成では、処理システム１２１０、発見／スケジューリングモジュール１２２４、および／または送信機１２１５は、第１のエリアと関連付けられる第１の基準を含み得る第１のトリガフレームを送信するように構成され得る。第１のトリガフレームは、第１のエリア内の第１のノードから第１の応答フレームをトリガすることを目的とし得る。処理システム１２１０、発見／スケジューリングモジュール１２２４、および／または送信機１２１５は、第２のエリアと関連付けられる第２の基準を含み得る第２のトリガフレームを送信するように構成され得る。第２のトリガフレームは、第２のエリア内の第２のノードから第２の応答フレームをトリガすることを目的とし得る。一態様では、第１のエリアは、ワイヤレスデバイス１２００に対して径方向距離しきい値内に位置し得、第２のエリアは、径方向距離しきい値を越えて位置し得る。別の態様では、第１のトリガフレームはＲＳＳＩしきい値を示し得、第２のトリガフレームは、ＲＳＳＩしきい値を示さなくてもよく、またはＲＳＳＩしきい値に対してヌル値を示してもよい。一態様では、第１のトリガフレームはＲＳＳＩレンジを示し得る。第１のトリガフレームは、第１のＲＳＳＩレンジに基づいて、第１のエリア内の第１のノードから第１の応答フレームをトリガすることを目的とし得る。第２のトリガフレームは第２のＲＳＳＩレンジを示し得る。第２のトリガフレームは、第２のＲＳＳＩレンジに基づいて、第２のエリア内の第２のノードから第２の応答フレームをトリガすることを目的とし得る。一態様では、第２のトリガフレームは、ワイヤレスデバイス１２００におけるトラフィック負荷状態と関連付けられるフィードバック情報を含み得る。別の態様では、第１のトリガフレームはＲＳＳＩしきい値を示し得、処理システム１２１０、発見／スケジューリングモジュール１２２４、および／または受信機１２０５は、第１のノードから第１の応答フレームを受信するように構成され得る。この第１の応答フレームは、第１のノードの近くに位置する１つまたは複数の他のノードの識別子を含み得る。第１のノードにおけるＲＳＳＩは、ＲＳＳＩしきい値よりも大きくなり得、第２のトリガフレームは、１つまたは複数の他のノードの各々の識別子とともに送信され得る。この態様では、処理システム１２１０、発見／スケジューリングモジュール１２２４、および／または受信機１２０５は、１つまたは複数の他のノードから応答フレームを受信するように構成され得る。別の態様では、処理システム１２１０、発見／スケジューリングモジュール１２２４、および／または受信機１２０５は、第１のノードにおけるＲＳＳＩが第１の基準よりも大きくなり得るときに第１のノードから第１の応答フレームを受信するように構成され得る。第１の基準は第１のＲＳＳＩしきい値であり得、第２のトリガフレームは、第１のノードと関連付けられる識別子とともに、また第２のＲＳＳＩしきい値とともに送信され得る。処理システム１２１０、発見／スケジューリングモジュール１２２４、および／または受信機１２０５は、第２のノードと第１のノードとの間の第２のＲＳＳＩが第２のトリガフレームで送信された第２のＲＳＳＩしきい値よりも大きいかまたはそれに等しいときに第２のノードから第２の応答フレームを受信するように構成され得る。処理システム１２１０、発見／スケジューリングモジュール１２２４、および／または受信機１２０５は、第１のノードにおけるＲＳＳＩがＲＳＳＩしきい値よりも大きいときに第１のエリア内の第１のノードからリストを受信するように構成され得る。このリストは、第１のノードによって前に発見された１つまたは複数の他のノードの識別子を含み得る。第２のノードは、それらの１つまたは複数の他のノードのうちの１つであり得る。この態様では、処理システム１２１０および／または発見／スケジューリングモジュール１２２４は、受信されたリストを使用して、第２のノードによる第２の応答フレームの送信のためにタイムスロットをスケジュールするように構成され得る。一態様では、第１のエリアは第１の円形セクタであり得、第２のエリアは、第１の円形セクタとは異なる第２の円形セクタであり得る。別の態様では、第１および第２のトリガフレームは、ワイヤレス通信デバイス１２００のロケーションに対応する情報を含み得る。この態様では、第１のトリガフレームは、ワイヤレスデバイス１２００のロケーションに対する第１のノードのロケーションに基づいて、第１の応答フレームを受信するための第１のタイムスロットを示し得る。第２のトリガフレームは、ワイヤレスデバイス１２００のロケーションに対する第２のノードのロケーションに基づいて、第２の応答フレームを受信するための第２のタイムスロットを示し得る。別の態様では、第１のエリアは第１のビーム形成セクタであり得、第２のエリアは、第１のビーム形成セクタとは異なる第２のビーム形成セクタであり得る。別の態様では、第１のトリガフレームは、第１の時間に、第１のビーム形成セクタに位置する第１のノードに送信され得る。第２のトリガフレームは、第１の時間とは異なる第２の時間に、第２のビーム形成セクタに位置する第２のノードに送信され得る。
【００９４】
[0098]この構成では、受信機１２０５、処理システム１２１０、発見／スケジューリングモジュール１２２４、および／または送信機１２１５は、図９のブロック９０２、９０４、９０６、９０８、９１０、９１２、９１４、および９１６に関して上記で説明した１つまたは複数の機能を実施するように構成され得る。受信機１２０５は、受信機１１１２に対応することができる。処理システム１２１０は、プロセッサ１１０４に対応し得る。送信機１２１５は、送信機１１１０に対応し得る。発見／スケジューリングモジュール１２２４は、発見／スケジューリングモジュール１２４および／または発見／スケジューリングモジュール１１２４に対応し得る。
【００９５】
[0099]別の構成では、処理システム１２１０、発見／スケジューリングモジュール１２２４、および／または受信機１２０５は、あるエリアと関連付けられる基準を含んだトリガフレームを受信するように構成され得る。処理システム１２１０および／または発見／スケジューリングモジュール１１２４は、トリガフレームがワイヤレス通信デバイス１２００に宛てられているかどうかをトリガフレーム内の基準に基づいて決定するように構成され得る。処理システム１２１０、発見／スケジューリングモジュール１１２４、および／または送信機１２１５は、トリガフレームがワイヤレス通信デバイス１２００に宛てられているときに応答フレームを送信するように構成され得る。一態様では、基準はＲＳＳＩしきい値であり得る。別の態様では、トリガフレームは、衝突緩和プロシージャを有効化するかどうかを示し得、応答フレームの送信は、その衝突緩和プロシージャに従い得る。別の態様では、衝突緩和プロシージャに従う送信は、応答フレームを送信するための発見ウィンドウ内のランダムな開始時間の選択および応答フレームを送信するための送信要求／送信可（ＲＴＳ／ＣＴＳ）プロシージャの実装の少なくとも一方を含み得る。別の態様では、処理システム１２１０、発見／スケジューリングモジュール１２２４、および／または受信機１２０５は、トラフィック負荷状態と関連付けられるフィードバック情報を受信するように構成され得る。この態様では、処理システム１２１０および／または発見／スケジューリングモジュール１２２４は、そのフィードバック情報を使用して、応答フレームの送信と関連付けられるパラメータを調節するように構成され得る。別の態様では、応答フレームは、トリガフレームの送信機のロケーションに対するワイヤレス通信デバイス１２００のロケーションに基づいた時間に送信され得る。別の態様では、応答フレームは、ビーム形成セクタ内のワイヤレス通信デバイス１２００のロケーションに基づいた時間に送信され得る。別の態様では、処理システム１２１０および／または発見／スケジューリングモジュール１１２４は、ワイヤレス通信デバイス１２００のサービング優先度ランクが、ワイヤレス通信デバイス１２００によって受信された応答フレームを前に送った近隣ノードのサービング優先度ランクよりも低いときに、応答フレームを送信することを控えるように構成され得る。
【００９６】
[00100]この構成では、受信機１２０５、処理システム１２１０、発見／スケジューリングモジュール１２２４、および／または送信機１２１５は、図１０のブロック１００２、１００４、１００６、１００８、および１０１０に関して上記で説明した１つまたは複数の機能を実施するように構成され得る。受信機１２０５は、受信機１１１２に対応し得る。処理システム１２１０は、プロセッサ１１０４に対応し得る。送信機１２１５は、送信機１１１０に対応し得る。発見／スケジューリングモジュール１２２４は、発見／スケジューリングモジュール１２４および／または発見／スケジューリングモジュール１１２４に対応し得る。
【００９７】
[00101]さらに、送信するための手段は、処理システム１２１０、発見／スケジューリングモジュール１２２４、および／または送信機１２１５を含み得る。トリガフレームがワイヤレス通信デバイス１２００に宛てられているかどうかを決定するための手段は、処理システム１２１０および／または発見／スケジューリングモジュール１２２４を含み得る。受信するための手段は、処理システム１２１０、発見／スケジューリングモジュール１２２４、および／または受信機１２０５を含み得る。スケジューリングするための手段は、処理システム１２１０および／または発見／スケジューリングモジュール１２２４を含み得る。
【００９８】
[00102]上記で説明した方法の様々な動作は、様々な（１つまたは複数の）ハードウェアおよび／またはソフトウェア構成要素、回路、および／または（１つまたは複数の）モジュールなど、それらの動作を実行することが可能な任意の好適な手段によって実行され得る。概して、図に示したどの動作も、その動作を実行することが可能な対応する機能的手段によって実行され得る。
【００９９】
[00103]本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明する機能を実行するように設計されたそれらの任意の組合せによって実装または実行され得る。汎用プロセッサは、マイクロプロセッサであり得るが、代替的に、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成として実装され得る。
【０１００】
[00104]１つまたは複数の態様では、上述の機能は、ハードウェア、ソフトウェア、ファームウェア、またはその任意の組合せで実装され得る。ソフトウェアで実装される場合、それらの機能は、１つまたは複数の命令またはコードとして、コンピュータ可読媒体上に記憶され、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体との両方を含む。記憶媒体は、コンピュータによってアクセスされ得る任意の入手可能な媒体であり得る。限定でなく例として、そのようなコンピュータ可読媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイス、または所望のプログラムコードを命令またはデータ構造の形式で搬送または記憶するために使用され得、コンピュータによってアクセスされ得る、他の任意の媒体を備え得る。また、任意の接続は、コンピュータ可読媒体と適切に呼ばれる。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術が、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備え得る。加えて、いくつかの態様では、コンピュータ可読媒体は、一時的コンピュータ可読媒体（たとえば信号）を備え得る。上の組合せもコンピュータ可読媒体の範囲内に含まれるべきである。
【０１０１】
[00105]本明細書に開示された方法は、説明した方法を実現するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【０１０２】
[00106]上述の機能は、ハードウェア、ソフトウェア、ファームウェア、またはそれらの任意の組合せにおいて実装され得る。それらの機能は、ソフトウェアに実装される場合、１つまたは複数の命令として、コンピュータ可読媒体上に記憶される場合がある。記憶媒体は、コンピュータによってアクセスできる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用されコンピュータによってアクセスされ得る、任意の他の媒体を備え得る。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。
【０１０３】
[00107]したがって、いくつかの態様は、本明細書で提示される動作を実施するためのコンピュータプログラム製品を備え得る。たとえば、そのようなコンピュータプログラム製品は、本明細書で説明した動作を実行するために１つまたは複数のプロセッサによって実行可能である命令を記憶した（および／または符号化した）コンピュータ可読媒体を備え得る。いくつかの態様では、コンピュータプログラム製品は、パッケージング材料を含むことがある。
【０１０４】
[00108]ソフトウェアまたは命令は、伝送媒体を介して送信される場合もある。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１０５】
[00109]さらに、本明細書で説明する方法および技法を実行するためのモジュールおよび／または他の適切な手段は、適用可能な場合、ユーザ端末および／または基地局によってダウンロードされ、および／または他の方法で取得され得ることを諒解されたい。たとえば、そのようなデバイスは、本明細書で説明する方法を実行するための手段の転送を容易にするために、サーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書に記載された方法および技法をデバイスに供給するための任意の他の好適な技法が利用され得る。
【０１０６】
[00110]特許請求の範囲は、上で示された厳密な構成および構成要素に限定されないことを理解されたい。上記で説明した方法および装置の配置、動作、および詳細において、特許請求の範囲から逸脱することなく、様々な修正、変更、および変形が行われる場合がある。
【０１０７】
[00111]上記は本開示の態様を対象とするが、本開示の他の態様およびさらなる態様は、それの基本的範囲から逸脱することなく考案され得、それの範囲は以下の特許請求の範囲によって決定される。
【０１０８】
[00112]以上の説明は、本明細書で説明された様々な態様を当業者が実施することを可能にするために与えられた。これらの態様に対する様々な変更は当業者には容易に明らかになり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。別段に明記されない限り、「いくつかの」という語は「１つまたは複数の」を表す。当業者に知られているか、または後で知られることになる、本開示全体にわたって記載された様々な態様の要素に対するすべての構造的および機能的な均等物は、参照により本明細書に明確に組み込まれ、特許請求の範囲によって包含されるものである。その上、本明細書で開示されたいかなることも、そのような開示が特許請求の範囲に明示的に列挙されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に、本願の出願当初の特許請求の範囲に記載された発明を付記する。
［Ｃ１］
ユーザ機器（ＵＥ）によるワイヤレス通信のための方法であって、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とする、を備える方法。
［Ｃ２］
前記第１のエリアは、前記ＵＥに対して、ある径方向距離しきい値内に位置し、ここにおいて、前記第２のエリアは前記径方向距離しきい値を越えて位置する、Ｃ１に記載の方法。
［Ｃ３］
前記第１のトリガフレームは、受信信号強度インジケータ（ＲＳＳＩ）しきい値を示し、
前記第２のトリガフレームは、前記ＲＳＳＩしきい値を示さないか、または前記ＲＳＳＩしきい値に対してヌル値を示す、Ｃ２に記載の方法。
［Ｃ４］
前記第１のトリガフレームは第１の受信信号強度インジケータ（ＲＳＳＩ）レンジを示し、ここにおいて、前記第１のトリガフレームは、前記第１のＲＳＳＩレンジに基づいて、前記第１のエリア内の前記第１のノードから前記第１の応答フレームをトリガすることを目的とし、
前記第２のトリガフレームは第２のＲＳＳＩレンジを示し、ここにおいて、前記第２のトリガフレームは、前記第２のＲＳＳＩレンジに基づいて、前記第２のエリア内の前記第２のノードから前記第２の応答フレームをトリガすることを目的とする、Ｃ２に記載の方法。
［Ｃ５］
前記第２のトリガフレームは、前記ＵＥにおけるトラフィック負荷状態と関連付けられるフィードバック情報を含む、Ｃ２に記載の方法。
［Ｃ６］
前記第１のトリガフレームは受信信号強度インジケータ（ＲＳＳＩ）しきい値を示し、前記方法は、
前記第１のノードから前記第１の応答フレームを受信することと、前記第１の応答フレームは、前記第１のノードの近くに位置する１つまたは複数の他のノードの識別子を備え、ここにおいて、前記第１のノードにおけるＲＳＳＩは前記ＲＳＳＩしきい値よりも大きく、ここにおいて、前記第２のトリガフレームは、前記１つまたは複数の他のノードの各々の前記識別子とともに送信される、
前記１つまたは複数の他のノードから応答フレームを受信することとをさらに備える、Ｃ２に記載の方法。
［Ｃ７］
前記第１のノードにおける第１の受信信号強度インジケータ（ＲＳＳＩ）が前記第１の基準よりも大きいときに前記第１のノードから前記第１の応答フレームを受信することと、前記第１の基準は第１のＲＳＳＩしきい値であり、ここにおいて、前記第２のトリガフレームは、前記第１のノードと関連付けられる識別子とともに、また第２のＲＳＳＩしきい値ととともに送信される、
前記第２のノードと前記第１のノードとの間の第２のＲＳＳＩが前記第２のトリガフレームで送信された前記第２のＲＳＳＩしきい値よりも大きいかまたはそれに等しいとき、前記第２のノードから前記第２の応答フレームを受信することとをさらに備える、Ｃ２に記載の方法。
［Ｃ８］
前記第１のノードにおける受信信号強度インジケータ（ＲＳＳＩ）がＲＳＳＩしきい値よりも大きいとき、前記第１のエリア内の前記第１のノードからリストを受信することと、前記リストは、前記第１のノードによって前に発見された１つまたは複数の他のノードの識別子を備え、ここにおいて、前記第２のノードは前記１つまたは複数の他のノードのうちの１つである、
前記受信されたリストを使用して、前記第２のノードによる前記第２の応答フレームの送信のためにタイムスロットをスケジュールすることとをさらに備える、Ｃ２に記載の方法。
［Ｃ９］
前記第１のエリアは第１の円形セクタであり、前記第２のエリアは、前記第１の円形セクタとは異なる第２の円形セクタである、Ｃ１に記載の方法。
［Ｃ１０］
前記第１および第２のトリガフレームは、前記ＵＥのロケーションに対応する情報を含み、
前記第１のトリガフレームは、前記ＵＥの前記ロケーションに対する前記第１のノードのロケーションに基づいて、前記第１の応答フレームを受信するための第１のタイムスロットを示し、
前記第２のトリガフレームは、前記ＵＥの前記ロケーションに対する前記第２のノードのロケーションに基づいて、前記第２の応答フレームを受信するための第２のタイムスロットを示す、Ｃ９に記載の方法。
［Ｃ１１］
前記第１のエリアは第１のビーム形成セクタであり、前記第２のエリアは、前記第１のビーム形成セクタとは異なる第２のビーム形成セクタである、Ｃ１に記載の方法。
［Ｃ１２］
前記第１のトリガフレームは、第１の時間に、前記第１のビーム形成セクタ内に位置する前記第１のノードに送信され、
第２のトリガフレームは、前記第１の時間とは異なる第２の時間に、前記第２のビーム形成セクタに位置する前記第２のノードに送信される、Ｃ１１に記載の方法。
［Ｃ１３］
ユーザ機器（ＵＥ）によるワイヤレス通信の方法であって、
あるエリアと関連付けられる基準を備えるトリガフレームを受信することと、
前記トリガフレームが前記ＵＥに宛てられているかどうかを、前記トリガフレーム内の前記基準に基づいて決定することと、
前記トリガフレームが前記ＵＥに宛てられているときに応答フレームを送信することとを備える方法。
［Ｃ１４］
前記基準は受信信号強度インジケータ（ＲＳＳＩ）しきい値である、Ｃ１３に記載の方法。
［Ｃ１５］
前記トリガフレームは、衝突緩和プロシージャを有効化するかどうかを示し、ここにおいて、前記応答フレームの前記送信は、衝突緩和プロシージャに従う、Ｃ１３に記載の方法。
［Ｃ１６］
前記衝突緩和プロシージャに従う前記送信は、前記応答フレームを送信するための発見ウィンドウ内のランダムな開始時間の選択または前記応答フレームを送信するための送信要求／送信可（ＲＴＳ／ＣＴＳ）プロシージャの実装の少なくとも一方を備える、Ｃ１５に記載の方法。
［Ｃ１７］
トラフィック負荷状態と関連付けられるフィードバック情報を受信することと、
前記フィードバック情報を使用して、前記応答フレームの前記送信と関連付けられるパラメータを調節することとをさらに備える、Ｃ１３に記載の方法。
［Ｃ１８］
前記応答フレームは、前記トリガフレームの送信機のロケーションに対する前記ＵＥのロケーションに基づいた時間に送信される、Ｃ１３に記載の方法。
［Ｃ１９］
前記応答フレームは、ビーム形成セクタ内の前記ＵＥのロケーションに基づいた時間に送信される、Ｃ１３に記載の方法。
［Ｃ２０］
前記ＵＥのサービング優先度ランクが、前記ＵＥによって受信された応答フレームを前に送った近隣ノードのサービング優先度ランクよりも低いときに、応答フレームを送信することを控えることをさらに備える、Ｃ１３に記載の方法。
［Ｃ２１］
ユーザ機器（ＵＥ）によるワイヤレス通信のための装置であって、
メモリと、
前記メモリに結合された少なくとも１つのプロセッサとを備え、前記少なくとも１つのプロセッサは、
第１のエリアと関連付けられる第１の基準を備える第１のトリガフレームを送信することと、ここにおいて、前記第１のトリガフレームは前記第１のエリア内の第１のノードから第１の応答フレームをトリガすることを目的とする、
第２のエリアと関連付けられる第２の基準を備える第２のトリガフレームを送信することと、ここにおいて、前記第２のトリガフレームは前記第２のエリア内の第２のノードから第２の応答フレームをトリガすることを目的とする、を行うように構成される装置。
［Ｃ２２］
前記第１のエリアは、前記ＵＥに対して、ある径方向距離しきい値内に位置し、ここにおいて、前記第２のエリアは前記径方向距離しきい値を越えて位置する、Ｃ２１に記載の装置。
［Ｃ２３］
前記第１のトリガフレームは第１の受信信号強度インジケータ（ＲＳＳＩ）レンジを示し、ここにおいて、前記第１のトリガフレームは、前記第１のＲＳＳＩレンジに基づいて、前記第１のエリア内の前記第１のノードから前記第１の応答フレームをトリガすることを目的とし、
前記第２のトリガフレームは第２のＲＳＳＩレンジを示し、ここにおいて、前記第２のトリガフレームは、前記第２のＲＳＳＩレンジに基づいて、前記第２のエリア内の前記第２のノードから前記第２の応答フレームをトリガすることを目的とする、Ｃ２２に記載の装置。
［Ｃ２４］
前記第２のトリガフレームは、前記ＵＥにおけるトラフィック負荷状態と関連付けられるフィードバック情報を含む、Ｃ２２に記載の装置。
［Ｃ２５］
前記少なくとも１つのプロセッサは、
前記第１のノードにおける第１の受信信号強度インジケータ（ＲＳＳＩ）が前記第１の基準よりも大きいときに前記第１のノードから前記第１の応答フレームを受信することと、前記第１の基準は第１のＲＳＳＩしきい値であり、ここにおいて、前記第２のトリガフレームは、前記第１のノードと関連付けられる識別子とともに、また第２のＲＳＳＩしきい値ととともに送信される、
前記第２のノードと前記第１のノードとの間の第２のＲＳＳＩが前記第２のトリガフレームで送信された前記第２のＲＳＳＩしきい値よりも大きいかまたはそれに等しいとき、前記第２のノードから前記第２の応答フレームを受信することとを行うようにさらに構成される、Ｃ２２に記載の装置。
［Ｃ２６］
前記少なくとも１つのプロセッサは、
前記第１のノードにおける受信信号強度インジケータ（ＲＳＳＩ）がＲＳＳＩしきい値よりも大きいとき、前記第１のエリア内の前記第１のノードからリストを受信することと、前記リストは、前記第１のノードによって前に発見された１つまたは複数の他のノードの識別子を備え、ここにおいて、前記第２のノードは前記１つまたは複数の他のノードのうちの１つである、
前記受信されたリストを使用して、前記第２のノードによる前記第２の応答フレームの送信のためにタイムスロットをスケジュールすることとを行うようにさらに構成される、Ｃ２２に記載の装置。
［Ｃ２７］
前記第１のエリアは第１の円形セクタであり、前記第２のエリアは、前記第１の円形セクタとは異なる第２の円形セクタである、Ｃ２１に記載の装置。
［Ｃ２８］
ユーザ機器（ＵＥ）によるワイヤレス通信のための装置であって、
メモリと、
前記メモリに結合された少なくとも１つのプロセッサとを備え、前記少なくとも１つのプロセッサは、
あるエリアと関連付けられる基準を備えるトリガフレームを受信することと、
前記トリガフレームが前記ＵＥに宛てられているかどうかを、前記トリガフレームに含められた前記基準に基づいて決定することと、
前記トリガフレームが前記ＵＥに宛てられているときに応答フレームを送信することとを行うように構成される装置。
［Ｃ２９］
前記少なくとも１つのプロセッサは、
トラフィック負荷状態と関連付けられるフィードバック情報を受信することと、
前記フィードバック情報を使用して、前記応答フレームの前記送信と関連付けられるパラメータを調節することとを行うようにさらに構成される、Ｃ２８に記載の装置。
［Ｃ３０］
前記少なくとも１つのプロセッサは、前記ＵＥのサービング優先度ランクが、前記ＵＥによって受信された応答フレームを前に送った近隣ノードのサービング優先度ランクよりも低いときに、応答フレームを送信することを控えるようにさらに構成される、Ｃ２８に記載の装置。
【図１】
0006301491.tif 000003
【図２】
0006301491.tif 000004
【図３】
0006301491.tif 000005
【図４】
0006301491.tif 000006
【図５】
0006301491.tif 000007
【図６】
0006301491.tif 000008
【図７】
0006301491.tif 000009
【図８】
0006301491.tif 000010
【図９】
0006301491.tif 000011
【図１０】
0006301491.tif 000012
【図１１】
0006301491.tif 000013
【図１２】
0006301491.tif 000014